(57)【要約】【課題】  予め登録された位置でのみコンテンツを利用できるようにすることで、ユーザが端末を他の場所に持ち出して不正な利用を行うことを防止することができるコンテンツ利用許可証送信装置を提供する。【解決手段】  有線及び／又は無線ローカルエリアネットワークを介してコンテンツを再生するコンテンツ再生装置及び端末と接続され、前記コンテンツ再生装置に対して前記コンテンツの再生を許可するコンテンツ利用許可証を受信し、当該コンテンツ再生装置に送信するコンテンツ利用許可証受信装置に、ネットワークを介して前記コンテンツ利用許可証を送信するコンテンツ利用許可証送信装置であって、受信装置管理情報記憶手段と、受信装置情報受信手段と、許可判定手段と、利用許可証送信手段とを備えることを特徴とする。【選択図】      図２
2006209161.tif 000002
【特許請求の範囲】
【請求項１】
有線及び／又は無線ローカルエリアネットワークを介してコンテンツを再生するコンテンツ再生装置及び端末と接続され、前記コンテンツ再生装置に対して前記コンテンツの再生を許可するコンテンツ利用許可証を受信し、当該コンテンツ再生装置に送信するコンテンツ利用許可証受信装置に、ネットワークを介して前記コンテンツ利用許可証を送信するコンテンツ利用許可証送信装置であって、
前記コンテンツ利用許可証受信装置を識別する受信装置ＩＤに、前記コンテンツ再生装置を識別する再生装置ＩＤ及び前記端末を識別する端末ＩＤを示す登録端末情報を対応させた受信装置管理情報を記憶する受信装置管理情報記憶手段と、
前記コンテンツ利用許可証受信装置の前記受信装置ＩＤを含む受信装置情報と、前記コンテンツ利用許可証受信装置が当該受信装置情報を送信する時点において、前記ローカルエリアネットワークを介して当該コンテンツ利用許可証受信装置と接続されている前記コンテンツ再生装置の再生装置ＩＤ、及び、前記端末の端末ＩＤを示す端末情報とを前記コンテンツ利用許可証受信装置から受信する受信装置情報受信手段と、
この受信装置情報受信手段によって受信された受信装置情報に含まれる受信装置ＩＤに対応する、前記受信装置管理情報記憶手段に記憶された登録端末情報によって示される前記端末ＩＤのうちの所定数以上の前記端末ＩＤと、前記受信装置情報受信手段によって受信された端末情報によって示される前記端末ＩＤのうちの所定数以上の前記端末ＩＤとが一致するかを判定する許可判定手段と、
この許可判定手段によって一致すると判定された場合に、前記コンテンツ利用許可証受信装置に前記コンテンツ利用許可証を送信する利用許可証送信手段とを備えることを特徴とするコンテンツ利用許可証送信装置。
【請求項２】
前記受信装置管理情報記憶手段が、当該コンテンツ利用許可証受信装置の受信装置ＩＤに、前記コンテンツ再生装置に対して前記コンテンツの再生を許可する位置を示す登録位置情報を対応させて記憶し、
前記受信装置情報受信手段が、前記コンテンツ再生装置の位置を示す位置情報を受信し、
前記許可判定手段が、前記受信装置情報受信手段によって受信された受信装置情報に含まれる受信装置ＩＤと、前記位置情報とに基づいて、前記受信装置管理情報記憶手段に記憶された前記受信装置ＩＤに対応する登録位置情報によって示される位置の所定の範囲内に、当該コンテンツ再生装置があるかを判定し、
前記利用許可証送信手段が、前記許可判定手段によって、前記登録端末情報によって示される前記端末ＩＤのうちの所定数以上の前記端末ＩＤと、前記端末情報によって示される前記端末ＩＤのうちの所定数以上の前記端末ＩＤとが一致し、かつ、前記範囲内に前記コンテンツ利用許可証受信装置があると判定された場合に、前記コンテンツ利用許可証受信装置に前記コンテンツ利用許可証を送信することを特徴とする請求項１に記載のコンテンツ利用許可証送信装置。
【請求項３】
コンテンツを再生するコンテンツ再生装置と接続され、前記コンテンツ再生装置に対して前記コンテンツの再生を許可するコンテンツ利用許可証を受信し、当該コンテンツ再生装置に送信するコンテンツ利用許可証受信装置に、ネットワークを介して前記コンテンツ利用許可証を送信するコンテンツ利用許可証送信装置であって、
前記コンテンツ利用許可証受信装置を識別する受信装置ＩＤに、前記コンテンツ再生装置に対して前記コンテンツの再生を許可する位置を示す登録位置情報を対応させた受信装置管理情報を記憶する受信装置管理情報記憶手段と、
前記コンテンツ利用許可証受信装置から送信された当該コンテンツ利用許可証受信装置の前記受信装置ＩＤを含む受信装置情報と、前記コンテンツ再生装置の位置を示す位置情報とを受信する受信装置情報受信手段と、
この受信装置情報受信手段によって受信された受信装置情報に含まれる受信装置ＩＤと、前記位置情報とに基づいて、前記受信装置管理情報記憶手段に記憶された前記受信装置ＩＤに対応する登録位置情報によって示される前記コンテンツ再生装置の位置の所定の範囲内に、当該コンテンツ利用許可証受信装置があるかを判定する許可判定手段と、
この許可判定手段によって、前記範囲内に前記コンテンツ再生装置があると判定された場合に、前記コンテンツ利用許可証受信装置に前記コンテンツ利用許可証を送信する利用許可証送信手段とを備えることを特徴とするコンテンツ利用許可証送信装置。
【請求項４】
前記位置情報が、前記ネットワークにおいて、前記コンテンツ利用許可証受信装置から前記受信装置情報が伝送される伝送路上に設けられた中継装置を識別する中継装置ＩＤを含むことを特徴とする請求項２又は請求項３に記載のコンテンツ利用許可証送信装置。
【請求項５】
前記中継装置が、前記コンテンツ利用許可証受信装置から発信される無線の電波を介して前記受信装置情報を中継し、
前記位置情報が、前記コンテンツ利用許可証受信装置から発信された前記無線の電波の、前記中継装置に対する到達方向を示す情報を更に含むことを特徴とする請求項４に記載のコンテンツ利用許可証送信装置。
【請求項６】
前記位置情報が、前記コンテンツ利用許可証受信装置から送信された緯度及び経度の情報を含むことを特徴とする請求項２から請求項５のいずれか１項に記載のコンテンツ利用許可証送信装置。
【請求項７】
有線及び／又は無線ローカルエリアネットワークを介して、コンテンツを再生するコンテンツ再生装置及び端末と接続され、かつ、請求項１又は請求項２に記載のコンテンツ利用許可証送信装置から送信される、前記コンテンツの再生を許可するコンテンツ利用許可証を、ネットワークを介して受信して、前記コンテンツ再生装置に送信するコンテンツ利用許可証受信装置であって、
前記ローカルエリアネットワークを介して接続されている前記コンテンツ再生装置を識別する再生装置ＩＤ及び端末を識別する端末ＩＤを取得し、当該コンテンツ利用許可証受信装置を識別する受信装置ＩＤを含む受信装置情報と、前記再生装置ＩＤ及び前記端末ＩＤを示す端末情報とを、前記コンテンツ利用許可証送信装置に送信する受信装置情報取得送信手段と、
前記コンテンツ利用許可証送信装置から送信されるコンテンツ利用許可証を受信し、前記コンテンツ再生装置に送信する利用許可証取得手段とを備えることを特徴とするコンテンツ利用許可証受信装置。
【請求項８】
コンテンツを再生するコンテンツ再生装置に接続され、かつ、請求項６に記載のコンテンツ利用許可証送信装置から送信される前記コンテンツの再生を許可するコンテンツ利用許可証をネットワークを介して受信して、前記コンテンツ再生装置に送信するコンテンツ利用許可証受信装置であって、
前記コンテンツ再生装置から、当該コンテンツ再生装置の位置の緯度及び経度の情報を受信し、当該コンテンツ利用許可証受信装置を識別する前記受信装置ＩＤを含む受信装置情報と、前記緯度及び経度の情報とを、前記コンテンツ利用許可証送信装置に送信する受信装置情報取得送信手段と、
前記コンテンツ利用許可証送信装置から送信されるコンテンツ利用許可証を受信し、前記コンテンツ再生装置に送信する利用許可証取得手段とを備えることを特徴とするコンテンツ利用許可証受信装置。
【請求項９】
有線及び／又は無線ローカルエリアネットワークを介してコンテンツを再生するコンテンツ再生装置及び端末と接続され、前記コンテンツ再生装置に対して前記コンテンツの再生を許可するコンテンツ利用許可証を受信し、当該コンテンツ再生装置に送信するコンテンツ利用許可証受信装置を識別する受信装置ＩＤに、当該コンテンツ再生装置を識別する再生装置ＩＤ及び当該端末を識別する端末ＩＤを示す登録端末情報を対応させた受信装置管理情報を記憶する受信装置管理情報記憶装置から前記受信装置管理情報を参照して、前記コンテンツ利用許可証受信装置に、ネットワークを介して前記コンテンツ利用許可証を送信するためにコンピュータを、
前記コンテンツ利用許可証受信装置の前記受信装置ＩＤを含む受信装置情報と、前記コンテンツ利用許可証受信装置が当該受信装置情報を送信する時点において、前記ローカルエリアネットワークを介して当該コンテンツ利用許可証受信装置と接続されている前記コンテンツ再生装置の再生装置ＩＤ、及び、前記端末の端末ＩＤを示す端末情報とを前記コンテンツ利用許可証受信装置から受信する受信装置情報受信手段、
この受信装置情報受信手段によって受信された受信装置情報に含まれる受信装置ＩＤに対応する、前記受信装置管理情報記憶装置に記憶された登録端末情報によって示される前記端末ＩＤのうちの所定数以上の前記端末ＩＤと、前記受信装置情報受信手段によって受信された端末情報によって示される前記端末ＩＤのうちの所定数以上の前記端末ＩＤとが一致するかを判定する許可判定手段、
この許可判定手段によって一致すると判定された場合に、前記コンテンツ利用許可証受信装置に前記コンテンツ利用許可証を送信する利用許可証送信手段として機能させることを特徴とするコンテンツ利用許可証送信プログラム。
【請求項１０】
コンテンツを再生するコンテンツ再生装置と接続され、前記コンテンツ再生装置に対して前記コンテンツの再生を許可するコンテンツ利用許可証を受信し、当該コンテンツ再生装置に送信するコンテンツ利用許可証受信装置を識別する受信装置ＩＤに、当該コンテンツ再生装置に対して前記コンテンツの再生を許可する位置を示す登録位置情報を対応させた受信装置管理情報を記憶する受信装置管理情報記憶装置から前記受信装置管理情報を参照して、前記コンテンツ利用許可証受信装置に、ネットワークを介して前記コンテンツ利用許可証を送信するためにコンピュータを、
前記コンテンツ利用許可証受信装置から送信された当該コンテンツ利用許可証受信装置の前記受信装置ＩＤを含む受信装置情報と、前記コンテンツ再生装置の位置を示す位置情報とを受信する受信装置情報受信手段、
この受信装置情報受信手段によって受信された受信装置情報に含まれる受信装置ＩＤと、前記位置情報とに基づいて、前記受信装置管理情報記憶装置に記憶された前記受信装置ＩＤに対応する登録位置情報によって示される前記コンテンツ再生装置の位置の所定の範囲内に、当該コンテンツ利用許可証受信装置があるかを判定する許可判定手段、
この許可判定手段によって、前記範囲内に前記コンテンツ再生装置があると判定された場合に、前記コンテンツ利用許可証受信装置に前記コンテンツ利用許可証を送信する利用許可証送信手段として機能させることを特徴とするコンテンツ利用許可証送信プログラム。
【請求項１１】
有線及び／又は無線ローカルエリアネットワークを介して、コンテンツを再生するコンテンツ再生装置及び端末と接続されるコンテンツ利用許可証受信装置において、請求項１又は請求項２に記載のコンテンツ利用許可証送信装置から送信される、前記コンテンツの再生を許可するコンテンツ利用許可証を、ネットワークを介して受信して、前記コンテンツ再生装置に送信するためにコンピュータを、
前記ローカルエリアネットワークを介して接続されている前記コンテンツ再生装置を識別する再生装置ＩＤ及び端末を識別する端末ＩＤを取得し、当該コンテンツ利用許可証受信装置を識別する受信装置ＩＤを含む受信装置情報と、前記再生装置ＩＤ及び前記端末ＩＤを示す端末情報とを、前記コンテンツ利用許可証送信装置に送信する受信装置情報取得送信手段、
前記コンテンツ利用許可証送信装置から送信されるコンテンツ利用許可証を受信し、前記コンテンツ再生装置に送信する利用許可証取得手段として機能させることを特徴とするコンテンツ利用許可証受信プログラム。
【請求項１２】
コンテンツを再生するコンテンツ再生装置に接続されるコンテンツ利用許可証受信装置において、請求項６に記載のコンテンツ利用許可証送信装置から送信される前記コンテンツの再生を許可するコンテンツ利用許可証をネットワークを介して受信して、前記コンテンツ再生装置に送信するためにコンピュータを、
前記コンテンツ再生装置から、当該コンテンツ再生装置の位置の緯度及び経度の情報を受信し、当該コンテンツ利用許可証受信装置を識別する前記受信装置ＩＤを含む受信装置情報と、前記緯度及び経度の情報とを、前記コンテンツ利用許可証送信装置に送信する受信装置情報取得送信手段、
前記コンテンツ利用許可証送信装置から送信されるコンテンツ利用許可証を受信し、前記コンテンツ再生装置に送信する利用許可証取得手段として機能させることを特徴とするコンテンツ利用許可証受信プログラム。
【発明の詳細な説明】
【技術分野】
【０００１】
本発明は、コンテンツの不正利用を防止する技術に係り、特に、コンテンツを再生する端末の位置に基づいて、コンテンツの再生を許可するコンテンツ利用許可証の発行を制限することによってコンテンツの不正利用を防止する技術に関する。
【背景技術】
【０００２】
近年、インターネット等のネットワーク上で、情報の劣化が起りにくいディジタルコンテンツ（以下、コンテンツという）の流通が増加している。しかし、ディジタル情報はオリジナルと全く同じ情報を持つコピーを作成できるため、簡単にコンテンツの不正コピーができてしまうという欠点も存在する。そのため、コンテンツの不正利用を防止し、著作権を保護できる技術が提案されている。
【０００３】
例えば、従来、ＭａｇｉｃＧａｔｅ（登録商標）に代表される、耐タンパハードウェアを用いてコンテンツの使用できる端末を特定し、この端末以外でのコンテンツの利用を制限することでコピーの流出を防ぐ方式があった（非特許文献１参照）。
【０００４】
また、コピーを認める場合でも、コンテンツを提供するコンテンツ提供者側のサーバに対して、当該コンテンツのコピーを使用する端末の情報を予め通知し、通知された端末のみが実行できるコンテンツ閲覧プログラムを用いて、コンテンツを利用することができるようにすることで、不正コピー流出を防止するものが提案されている（非特許文献２参照）。
【０００５】
更に、コンテンツを購入した購入者（以下ユーザという）の端末によって当該コンテンツをコピーすることは可能であるが、当該コンテンツのコピーを再度コピーする二次コピーを防ぐことで、ひとつの端末だけでなく、ユーザの所有する他の端末でもコンテンツを利用することができるとともに、二次コピーによるコンテンツの不正な流通を防止するシステムが提案されている（特許文献１参照）。
【特許文献１】特開２００４−１６４５３４号公報（段落０００９〜００３４）
【非特許文献１】"メモリスティク著作権保護技術MagicGate"、［online］、インターネット＜ＵＲＬ：http://www.sony.co.jp/Products/SC-HP/CXPAL/CXPAL-44/PDF/tw.pdf＞
【非特許文献２】藤井治彦、他４名、「自由度の高い私的コピーを実現する著作権保護方式」、情報処理電子化知的財産・社会基盤、情報処理学会、２００１年２月、ＮＯ．１１−９、ｐ．３９−４６
【発明の開示】
【発明が解決しようとする課題】
【０００６】
しかしながら、特許文献１、非特許文献１及び非特許文献２に記載の技術では、コンテンツの不正なコピーを防止することはできるが、このコンテンツが、当該コンテンツの著作権を管理する著作権管理者の意図する場所で正しく利用されるように制御することはできなかった。例えば、コンテンツを不正にコピーできないような暗号化処理を施してユーザの端末に配信したとしても、ユーザが、そのコンテンツが記録されたメディアや端末を持ち出して、他の場所で不特定多数の人に対して上映会を行うというような不正利用は防止できなかった。
【０００７】
本発明は、前記従来技術の問題を解決するために成されたもので、コンテンツを利用できる端末の位置を著作権管理者が管理し、予め登録された位置でのみコンテンツを利用できるようにすることで、ユーザが端末を他の場所に持ち出して不正な利用を行うことを防止することができるコンテンツ利用許可証送信装置、コンテンツ利用許可証受信装置、コンテンツ利用許可証送信プログラム及びコンテンツ利用許可証受信プログラムを提供することを目的とする。
【課題を解決するための手段】
【０００８】
前記課題を解決するため、請求項１に記載のコンテンツ利用許可証送信装置は、有線及び／又は無線ローカルエリアネットワークを介してコンテンツを再生するコンテンツ再生装置及び端末と接続され、前記コンテンツ再生装置に対して前記コンテンツの再生を許可するコンテンツ利用許可証を受信し、当該コンテンツ再生装置に送信するコンテンツ利用許可証受信装置に、ネットワークを介して前記コンテンツ利用許可証を送信するコンテンツ利用許可証送信装置であって、受信装置管理情報記憶手段と、受信装置情報受信手段と、許可判定手段と、利用許可証送信手段とを備える構成とした。
【０００９】
かかる構成によれば、コンテンツ利用許可証送信装置は、受信装置管理情報記憶手段に、コンテンツ利用許可証受信装置を識別する受信装置ＩＤに、コンテンツ再生装置を識別する再生装置ＩＤ及び端末を識別する端末ＩＤを示す登録端末情報を対応させた受信装置管理情報を記憶する。また、コンテンツ利用許可証送信装置は、受信装置情報受信手段によって、当該コンテンツ利用許可証受信装置の受信装置ＩＤを含む受信装置情報と、コンテンツ利用許可証受信装置が当該受信装置情報を送信する時点において、有線及び／又は無線ローカルエリアネットワークを介して当該コンテンツ利用許可証受信装置と接続されているコンテンツ再生装置の再生装置ＩＤ、及び、端末の端末ＩＤを示す端末情報とを、コンテンツ利用許可証受信装置から受信する。ここで、端末とは、ローカルエリアネットワークに接続された装置であり、例えば、ネットワーク接続できるテレビ、ＤＶＤレコーダ、音響装置やコンピュータなどである。
【００１０】
更に、コンテンツ利用許可証送信装置は、許可判定手段によって、この受信装置情報受信手段で受信された受信装置情報に含まれる受信装置ＩＤに対応する、前記受信装置管理情報記憶手段に記憶された登録端末情報によって示される前記端末ＩＤのうちの所定数以上の前記端末ＩＤと、前記受信装置情報受信手段によって受信された端末情報によって示される端末ＩＤのうちの所定数以上の前記端末ＩＤとが一致するかを判定する。
【００１１】
ここで、ユーザがコンテンツを正当に利用する場所において、ローカルエリアネットワークを介して当該コンテンツ利用許可証受信装置及びコンテンツ再生装置とともに接続された端末の端末ＩＤを受信装置情報記憶手段に記憶しておくことで、ユーザがコンテンツをこの場所で利用する場合には、受信装置情報受信手段によって受信された端末ＩＤと、受信装置情報記憶手段に記憶された端末ＩＤの一部あるいはすべてが一致する。一方、ユーザが当該コンテンツ利用許可証受信装置及びコンテンツ再生装置を他の場所に持ち出して不正に利用する場合には、受信装置情報受信手段によって受信された端末ＩＤと、受信装置情報記憶手段に記憶された端末ＩＤとが一致しないか、あるいは、当該コンテンツ利用許可証受信装置及びコンテンツ再生装置とともに持ち出されたわずかな数の端末の端末ＩＤのみが一致する。そのため、この数より多い所定数以上の端末ＩＤが一致する場合には、ユーザがコンテンツを適切な場所で正当に利用しようとしていると判断できる。
【００１２】
そして、コンテンツ利用許可証送信装置は、許可判定手段によって一致すると判定された場合に、利用許可証送信手段によって、コンテンツ利用許可証受信装置にコンテンツ利用許可証を送信する。これによって、コンテンツ利用許可証送信装置は、ユーザがコンテンツを適切な場所で利用しようとしていると判断された場合のみに、コンテンツ利用許可証受信装置にコンテンツ利用許可証を送信することができる。
【００１３】
また、請求項２に記載のコンテンツ利用許可証送信装置は、請求項１に記載のコンテンツ利用許可証送信装置において、前記受信装置管理情報記憶手段が、当該コンテンツ利用許可証受信装置の受信装置ＩＤに、前記コンテンツ再生装置に対して前記コンテンツの再生を許可する位置を示す登録位置情報を対応させて記憶し、前記受信装置情報受信手段が、前記コンテンツ再生装置の位置を示す位置情報を受信し、前記許可判定手段が、前記受信装置情報受信手段によって受信された受信装置情報に含まれる受信装置ＩＤと、前記位置情報とに基づいて、前記受信装置管理情報記憶手段に記憶された前記受信装置ＩＤに対応する登録位置情報によって示される位置の所定の範囲内に、当該コンテンツ再生装置があるかを判定し、前記利用許可証送信手段が、前記許可判定手段によって、前記登録端末情報によって示される前記端末ＩＤのうちの所定数以上の前記端末ＩＤと、前記端末情報によって示される前記端末ＩＤのうちの所定数以上の前記端末ＩＤとが一致し、かつ、前記範囲内に前記コンテンツ利用許可証受信装置があると判定された場合に、前記コンテンツ利用許可証受信装置に前記コンテンツ利用許可証を送信する構成とした。
【００１４】
かかる構成によれば、コンテンツ利用許可証送信装置は、受信装置情報受信手段によって受信された端末ＩＤのうちの所定数以上の端末ＩＤと、受信装置情報記憶手段に記憶された端末ＩＤのうちの所定数以上の端末ＩＤとが一致するとともに、コンテンツ再生装置の位置を示す位置情報に基づいて、受信装置管理情報記憶手段に記憶された登録位置情報によって示される位置の所定の範囲内にコンテンツ再生装置がある場合に、コンテンツ利用許可証受信装置にコンテンツ利用許可証を送信する。これによって、コンテンツ利用許可証送信装置は、ユーザがコンテンツを適切な場所で利用しようとしていると判断された場合のみに、コンテンツ利用許可証受信装置にコンテンツ利用許可証を送信することができる。
【００１５】
更に、請求項３に記載のコンテンツ利用許可証送信装置は、コンテンツを再生するコンテンツ再生装置と接続され、前記コンテンツ再生装置に対して前記コンテンツの再生を許可するコンテンツ利用許可証を受信し、当該コンテンツ再生装置に送信するコンテンツ利用許可証受信装置に、ネットワークを介して前記コンテンツ利用許可証を送信するコンテンツ利用許可証送信装置であって、受信装置管理情報記憶手段と、受信装置情報受信手段と、許可判定手段と、利用許可証送信手段とを備える構成とした。
【００１６】
かかる構成によれば、コンテンツ利用許可証送信装置は、受信装置管理情報記憶手段によって、コンテンツ利用許可証受信装置を識別する受信装置ＩＤに、コンテンツ再生装置に対してコンテンツの再生を許可する位置を示す登録位置情報を対応させた受信装置管理情報を記憶する。また、コンテンツ利用許可証送信装置は、受信装置情報受信手段によって、コンテンツ利用許可証受信装置から送信された当該コンテンツ利用許可証受信装置の受信装置ＩＤを含む受信装置情報と、コンテンツ再生装置の位置を示す位置情報とを受信する。更に、コンテンツ利用許可証送信装置は、許可判定手段によって、この受信装置情報受信手段によって受信された受信装置情報に含まれる受信装置ＩＤと、位置情報とに基づいて、受信装置管理情報記憶手段に記憶された受信装置ＩＤに対応する登録位置情報によって示される所定の範囲内に、当該コンテンツ利用許可証受信装置があるかを判定する。
【００１７】
ここで、ユーザがコンテンツを正当に利用するコンテンツ再生装置の位置示す登録位置情報を受信装置情報記憶手段に記憶しておくことで、コンテンツ利用許可証送信装置は、コンテンツ再生装置によってコンテンツを再生するごとに、ユーザが当該コンテンツを適切な場所で正当に利用しようとしているかを判断できる。
【００１８】
そして、コンテンツ利用許可証送信装置は、許可判定手段によって、所定の範囲内にコンテンツ再生装置があると判定された場合に、利用許可証送信手段によって、コンテンツ利用許可証受信装置にコンテンツ利用許可証を送信する。これによって、コンテンツ利用許可証送信装置は、ユーザがコンテンツを適切な場所で利用しようとしていると判断された場合のみに、コンテンツ利用許可証受信装置にコンテンツ利用許可証を送信することができる。
【００１９】
また、請求項４に記載のコンテンツ利用許可証送信装置は、請求項２又は請求項３に記載のコンテンツ利用許可証送信装置において、前記位置情報が、前記ネットワークにおいて、前記コンテンツ利用許可証受信装置から前記受信装置情報が伝送される伝送路上に設けられた中継装置を識別する中継装置ＩＤを含む構成とした。
【００２０】
ここで、ネットワークの伝送路上においてコンテンツ利用許可証受信装置から情報が伝送される際に、この情報の伝送路上において、コンテンツ利用許可証受信装置から近くの中継装置は、コンテンツ利用許可証受信装置の位置に依存する。そのため、コンテンツ利用許可証受信装置とコンテンツ利用許可証送信装置との間の伝送路上におけるコンテンツ利用許可証受信装置から近くの中継装置を特定して位置情報とすることで、当該コンテンツ利用許可証受信装置の位置を、当該中継装置によって中継される範囲内にあると特定することができる。そして、当該コンテンツ利用許可証受信装置に接続されたコンテンツ再生装置の位置もこの近傍の位置と判断することができる。
【００２１】
また、請求項５に記載のコンテンツ利用許可証送信装置は、請求項４に記載のコンテンツ利用許可証送信装置において、前記中継装置が、前記コンテンツ利用許可証受信装置から発信される無線の電波を介して前記受信装置情報を中継し、前記位置情報が、前記コンテンツ利用許可証受信装置から発信された前記無線の電波の、前記中継装置に対する到達方向を示す情報を更に含む構成とした。
【００２２】
ここで、中継装置に対する無線の電波の到達方向を示す情報とは、例えば、中継装置が所定の範囲のそれぞれ異なる方向（方位）からの電波を受信する複数のアンテナを有する場合に、このアンテナを識別する識別情報等である。そして、コンテンツ利用許可証送信装置は、この位置情報に基づいて、中継装置ＩＤによって示される中継装置によって電波が中継される所定の範囲内において、中継装置に対して、この到達方向を示す情報によって示される方向に電波を送信できる位置にコンテンツ利用許可証受信装置及びコンテンツ再生装置が存在すると判断することができる。
【００２３】
更に、請求項６に記載のコンテンツ利用許可証送信装置は、請求項２から請求項５のいずれか１項に記載のコンテンツ利用許可証送信装置において、前記位置情報が、前記コンテンツ利用許可証受信装置から送信された緯度及び経度の情報を含む構成とした。そのため、コンテンツ再生装置の位置は、緯度及び経度の情報によって特定される。これによって、コンテンツ利用許可証送信装置は、位置情報によってコンテンツ再生装置の位置を特定することができる。そして、所定の範囲内に、当該コンテンツ利用許可証受信装置があるかを判定し、この範囲内にあると判断された場合のみに、コンテンツ利用許可証受信装置にコンテンツ利用許可証を送信することができる。
【００２４】
また、請求項７に記載のコンテンツ利用許可証受信装置は、有線及び／又は無線ローカルエリアネットワークを介して、コンテンツを再生するコンテンツ再生装置及び端末と接続され、かつ、請求項１又は請求項２に記載のコンテンツ利用許可証送信装置から送信される、前記コンテンツの再生を許可するコンテンツ利用許可証を、ネットワークを介して受信して、前記コンテンツ再生装置に送信するコンテンツ利用許可証受信装置であって、受信装置情報取得送信手段と、利用許可証取得手段とを備える構成とした。
【００２５】
かかる構成によれば、コンテンツ利用許可証受信装置は、受信装置情報取得送信手段によって、ローカルエリアネットワークを介して接続されているコンテンツ再生装置を識別する再生装置ＩＤ及び端末を識別する端末ＩＤを取得し、当該コンテンツ利用許可証受信装置を識別する受信装置ＩＤを含む受信装置情報と、再生装置ＩＤ及び端末ＩＤを示す端末情報とを、コンテンツ利用許可証送信装置に送信する。
【００２６】
また、コンテンツ利用許可証受信装置は、利用許可証取得手段によって、コンテンツ利用許可証送信装置から送信されるコンテンツ利用許可証を受信し、コンテンツ再生装置に送信する。これによって、コンテンツ利用許可証受信装置は、コンテンツ利用許可証送信装置によって、ユーザがコンテンツを適切な場所で正当に利用しようとしているかを判断する際に必要となる端末ＩＤを取得し、コンテンツ利用許可証送信装置に送信することができる。そして、コンテンツ利用許可証受信装置は、コンテンツ利用許可証送信装置からコンテンツ利用許可証を受信して、コンテンツ再生装置に送信することができる。
【００２７】
更に、請求項８に記載のコンテンツ利用許可証受信装置は、コンテンツを再生するコンテンツ再生装置に接続され、かつ、請求項６に記載のコンテンツ利用許可証送信装置から送信される前記コンテンツの再生を許可するコンテンツ利用許可証をネットワークを介して受信して、前記コンテンツ再生装置に送信するコンテンツ利用許可証受信装置であって、受信装置情報取得送信手段と、利用許可証取得手段とを備える構成とした。
【００２８】
かかる構成によれば、コンテンツ利用許可証受信装置は、受信装置情報取得送信手段によって、コンテンツ再生装置から、当該コンテンツ再生装置の位置の緯度及び経度の情報を受信し、当該コンテンツ利用許可証受信装置を識別する受信装置ＩＤを含む受信装置情報と、コンテンツ再生装置の位置の緯度及び経度の情報とを、前記コンテンツ利用許可証送信装置に送信する。
【００２９】
更に、利用許可証取得手段によって、コンテンツ利用許可証送信装置から送信されるコンテンツ利用許可証を受信し、コンテンツ再生装置に送信する。これによって、コンテンツ利用許可証受信装置は、コンテンツ利用許可証送信装置によって、ユーザがコンテンツを適切な場所で正当に利用しようとしているかを判断する際に必要となる、コンテンツ再生装置の位置の緯度と経度の情報を取得し、コンテンツ利用許可証送信装置に送信することができる。そして、コンテンツ利用許可証受信装置は、コンテンツ利用許可証送信装置からコンテンツ利用許可証を受信して、コンテンツ再生装置に送信することができる。
【００３０】
また、請求項９に記載のコンテンツ利用許可証送信プログラムは、有線及び／又は無線ローカルエリアネットワークを介してコンテンツを再生するコンテンツ再生装置及び端末と接続され、前記コンテンツ再生装置に対して前記コンテンツの再生を許可するコンテンツ利用許可証を受信し、当該コンテンツ再生装置に送信するコンテンツ利用許可証受信装置を識別する受信装置ＩＤに、当該コンテンツ再生装置を識別する再生装置ＩＤ及び当該端末を識別する端末ＩＤを示す登録端末情報を対応させた受信装置管理情報を記憶する受信装置管理情報記憶装置から前記受信装置管理情報を参照して、前記コンテンツ利用許可証受信装置に、ネットワークを介して前記コンテンツ利用許可証を送信するためにコンピュータを受信装置情報受信手段、許可判定手段、利用許可証送信手段として機能させることとした。
【００３１】
かかる構成によれば、コンテンツ利用許可証送信プログラムは、受信装置情報受信手段によって、当該コンテンツ利用許可証受信装置の受信装置ＩＤを含む受信装置情報と、コンテンツ利用許可証受信装置が当該受信装置情報を送信する時点において、ローカルエリアネットワークを介して当該コンテンツ利用許可証受信装置と接続されているコンテンツ再生装置の再生装置ＩＤ、及び、端末の端末ＩＤを示す端末情報とを、コンテンツ利用許可証受信装置から受信する。また、コンテンツ利用許可証送信プログラムは、許可判定手段によって、受信装置情報受信手段によって受信された受信装置情報に含まれる受信装置ＩＤに対応する、受信装置管理情報記憶装置に記憶された登録端末情報によって示される端末ＩＤのうちの所定数以上の端末ＩＤと、受信装置情報受信手段によって受信された端末情報によって示される端末ＩＤのうちの所定数以上の前記端末ＩＤとが一致するかを判定する。
【００３２】
更に、コンテンツ利用許可証送信プログラムは、利用許可証送信手段によって、許可判定手段によって一致すると判定された場合に、コンテンツ利用許可証受信装置にコンテンツ利用許可証を送信する。これによって、コンテンツ利用許可証送信プログラムは、ユーザがコンテンツを適切な場所で利用しようとしていると判断された場合のみに、コンテンツ利用許可証受信装置にコンテンツ利用許可証を送信することができる。
【００３３】
更に、請求項１０に記載のコンテンツ利用許可証送信プログラムは、コンテンツを再生するコンテンツ再生装置と接続され、前記コンテンツ再生装置に対して前記コンテンツの再生を許可するコンテンツ利用許可証を受信し、当該コンテンツ再生装置に送信するコンテンツ利用許可証受信装置を識別する受信装置ＩＤに、当該コンテンツ再生装置に対して前記コンテンツの再生を許可する位置を示す登録位置情報を対応させた受信装置管理情報を記憶する受信装置管理情報記憶装置から前記受信装置管理情報を参照して、前記コンテンツ利用許可証受信装置に、ネットワークを介して前記コンテンツ利用許可証を送信するためにコンピュータを、受信装置情報受信手段、許可判定手段、利用許可証送信手段として機能させることとした。
【００３４】
かかる構成によれば、コンテンツ利用許可証送信プログラムは、受信装置情報受信手段によって、コンテンツ利用許可証受信装置から送信された当該コンテンツ利用許可証受信装置の受信装置ＩＤを含む受信装置情報と、コンテンツ再生装置の位置を示す位置情報とを受信する。また、コンテンツ利用許可証送信プログラムは、許可判定手段によって、受信装置情報受信手段によって受信された受信装置情報に含まれる受信装置ＩＤと、位置情報とに基づいて、受信装置管理情報記憶装置に記憶された受信装置ＩＤに対応する登録位置情報によって示されるコンテンツ再生装置の位置の所定の範囲内に、当該コンテンツ利用許可証受信装置があるかを判定する。
【００３５】
更に、コンテンツ利用許可証送信プログラムは、利用許可証送信手段によって、許可判定手段によって、所定の範囲内にコンテンツ再生装置があると判定された場合に、コンテンツ利用許可証受信装置にコンテンツ利用許可証を送信する。これによって、コンテンツ利用許可証送信プログラムは、ユーザがコンテンツを適切な場所で利用しようとしていると判断された場合のみに、コンテンツ利用許可証受信装置にコンテンツ利用許可証を送信することができる。
【００３６】
また、請求項１１に記載のコンテンツ利用許可証受信プログラムは、有線及び／又は無線ローカルエリアネットワークを介して、コンテンツを再生するコンテンツ再生装置及び端末と接続されるコンテンツ利用許可証受信装置において、請求項１又は請求項２に記載のコンテンツ利用許可証送信装置から送信される、前記コンテンツの再生を許可するコンテンツ利用許可証を、ネットワークを介して受信して、前記コンテンツ再生装置に送信するためにコンピュータを、受信装置情報取得送信手段、利用許可証取得手段として機能させることとした。
【００３７】
かかる構成によれば、コンテンツ利用許可証受信プログラムは、受信装置情報取得送信手段によって、ローカルエリアネットワークを介して接続されているコンテンツ再生装置を識別する再生装置ＩＤ及び端末を識別する端末ＩＤを取得し、当該コンテンツ利用許可証受信装置を識別する受信装置ＩＤを含む受信装置情報と、再生装置ＩＤ及び端末ＩＤを示す端末情報とを、コンテンツ利用許可証送信装置に送信する。更に、コンテンツ利用許可証受信プログラムは、利用許可証取得手段によって、コンテンツ利用許可証送信装置から送信されるコンテンツ利用許可証を受信し、前記コンテンツ再生装置に送信する。
【００３８】
これによって、コンテンツ利用許可証送信装置によって、ユーザがコンテンツを適切な場所で正当に利用しようとしているかを判断する際に必要となる端末ＩＤを取得し、コンテンツ利用許可証送信装置に送信することができる。そして、コンテンツ利用許可証送信装置からコンテンツ利用許可証を受信して、コンテンツ再生装置に送信することができる。
【００３９】
更に、請求項１２に記載のコンテンツ利用許可証受信プログラムは、コンテンツを再生するコンテンツ再生装置に接続されるコンテンツ利用許可証受信装置において、請求項６に記載のコンテンツ利用許可証送信装置から送信される前記コンテンツの再生を許可するコンテンツ利用許可証をネットワークを介して受信して、前記コンテンツ再生装置に送信するためにコンピュータを、受信装置情報取得送信手段、利用許可証取得手段として機能させることとした。
【００４０】
かかる構成によれば、コンテンツ利用許可証受信プログラムは、受信装置情報取得送信手段によって、コンテンツ再生装置から、当該コンテンツ再生装置の位置の緯度及び経度の情報を受信し、当該コンテンツ利用許可証受信装置を識別する受信装置ＩＤを含む受信装置情報と、コンテンツ再生装置の位置の緯度及び経度の情報とを、コンテンツ利用許可証送信装置に送信する。また、コンテンツ利用許可証受信プログラムは、利用許可証取得手段によって、コンテンツ利用許可証送信装置から送信されるコンテンツ利用許可証を受信し、コンテンツ再生装置に送信する。
【００４１】
これによって、コンテンツ利用許可証送信装置によって、ユーザがコンテンツを適切な場所で正当に利用しようとしているかを判断する際に必要となる、コンテンツ再生装置の位置の緯度と経度の情報を取得し、コンテンツ利用許可証送信装置に送信することができる。そして、コンテンツ利用許可証送信装置からコンテンツ利用許可証を受信して、コンテンツ再生装置に送信することができる。
【発明の効果】
【００４２】
本発明に係るコンテンツ利用許可証送信装置、コンテンツ利用許可証受信装置、コンテンツ利用許可証送信プログラム及びコンテンツ利用許可証受信プログラムでは、以下のような優れた効果を奏する。
【００４３】
請求項１又は請求項９に記載の発明によれば、予め登録された端末がローカルエリアネットワークに接続されているかを管理することで、予め登録された位置にコンテンツ再生装置があるかを判定することができる。そして、予め登録された位置にコンテンツ再生装置がある場合にコンテンツ利用許可証を送信するため、ユーザは、予め登録された位置でのみ当該コンテンツを利用することができる。これによって、ユーザがコンテンツを登録されていない場所で不正に利用することを防止できる。
【００４４】
請求項２に記載の発明によれば、予め登録された端末がローカルエリアネットワークに接続されているかを管理し、また、コンテンツ再生装置の位置を示す位置情報を受信することで、予め登録された位置にコンテンツ再生装置があるかを、より正確に判定することができる。
【００４５】
請求項３又は請求項１０に記載の発明によれば、コンテンツ再生装置の位置を示す位置情報を受信することで、予め登録された位置にコンテンツ再生装置があるかを判定することができる。そして、予め登録された位置にコンテンツ再生装置がある場合にコンテンツ利用許可証を送信するため、ユーザは、予め登録された位置でのみ当該コンテンツを利用することができる。これによって、ユーザがコンテンツを登録されていない場所で不正に利用することを防止できる。
【００４６】
請求項４に記載の発明によれば、コンテンツ利用許可証受信装置とコンテンツ利用許可証送信装置との間の伝送路上における中継装置を特定して位置情報とすることで、当該コンテンツ利用許可証受信装置及びコンテンツ再生装置の位置を特定し、予め登録された位置にコンテンツ再生装置があるかを判定することができる。そのため、コンテンツ再生装置に位置を検出する手段を持たせることなく、予め登録された位置にコンテンツ再生装置があるかを判定することができる。
【００４７】
請求項５に記載の発明によれば、コンテンツ利用許可証受信装置から無線の電波を受信する中継装置と、この中継装置に対する電波の到達方向を特定して位置情報とすることで、当該コンテンツ利用許可証受信装置及びコンテンツ再生装置の位置を更に特定し、予め登録された位置にコンテンツ再生装置があるかを、より厳密に判定することができる。
【００４８】
請求項６に記載の発明によれば、緯度及び経度の情報によってコンテンツ再生装置の位置を特定し、予め登録された位置にコンテンツ再生装置があるかを判定することができる。
【００４９】
請求項７又は請求項１１に記載の発明によれば、ローカルエリアネットワークに接続されている端末をコンテンツ利用許可証送信装置に通知することで、予め登録された位置にコンテンツ再生装置がある場合にコンテンツ利用許可証を受信してコンテンツ再生装置に送信することができる。そのため、ユーザは予め登録された位置でのみ当該コンテンツを利用することができ、ユーザがコンテンツを他の場所で不正に利用することを防止できる。
【００５０】
請求項８又は請求項１２に記載の発明によれば、コンテンツ再生装置の位置の緯度と経度の情報を取得し、コンテンツ利用許可証送信装置に通知することで、予め登録された位置にコンテンツ再生装置がある場合にコンテンツ利用許可証を受信してコンテンツ再生装置に送信することができる。そのため、ユーザは予め登録された位置でのみ当該コンテンツを利用することができ、ユーザがコンテンツを他の場所で不正に利用することを防止できる。
【発明を実施するための最良の形態】
【００５１】
以下、本発明の実施の形態について図面を参照して説明する。
［著作権管理システムの構成（第１の実施の形態）］
まず、図１を参照して、本発明の第１の実施の形態である著作権管理システムＳの構成について説明する。図１は、本発明の第１の実施の形態である著作権管理システムの構成を示したブロック図である。著作権管理システムＳは、コンテンツ提供者側にイントラネット３で接続されたコンテンツサーバ１と、コンテンツ利用許可証送信装置２と、ゲートウェイ（ＧＷ）４とを備え、インターネット５及び中継装置６を経由してコンテンツのユーザ（購入者）側の装置であるメインレコーダＲにコンテンツと当該コンテンツの再生を許可するコンテンツ利用許可証とを配信するシステムである。また、著作権管理システムＳは、ユーザ側に、ローカルエリアネットワークで接続されたメインレコーダＲと、コンテンツ再生装置９（９ａ、９ｂ、９ｃ、…）とを備えている。
【００５２】
コンテンツサーバ１は、図示していない記憶手段に複数のコンテンツを保持し、後記するメインレコーダＲからコンテンツの要求があった場合に、このコンテンツをメインレコーダＲへ配信するものである。
【００５３】
コンテンツ利用許可証送信装置２は、コンテンツサーバ１に保持されているコンテンツのコンテンツ利用許可証を管理するものである。つまり、コンテンツ利用許可証送信装置２は、後記するコンテンツ利用許可証受信装置７からのコンテンツ利用許可証の要求に基づいて、ユーザ認証と、後記するコンテンツ再生装置９の位置に基づいた判定とを行い、コンテンツ利用許可証を発行するものである。
【００５４】
メインレコーダＲは、コンテンツ記憶装置Ｃと、コンテンツ利用許可証受信装置７とを備え、ユーザが所望するコンテンツをコンテンツサーバ１から取得してコンテンツ記憶装置Ｃに記憶し、更に、コンテンツ利用許可証送信装置２からコンテンツ利用許可証を受信するものである。
【００５５】
コンテンツ記憶装置Ｃは、コンテンツサーバ１から取得したコンテンツを記憶するもので、半導体メモリ、ハードディスク等の一般的な記憶装置からなる。このコンテンツ記憶装置Ｃに記憶されたコンテンツは、後記するコンテンツ再生装置９によって閲覧あるいはコピーされて用いられる。
【００５６】
コンテンツ利用許可証受信装置７は、後記するコンテンツ再生装置９からのコンテンツ利用許可証の取得の要求に基づいて、コンテンツ利用許可証送信装置２からコンテンツ利用許可証を受信し、コンテンツ利用許可証を要求したコンテンツ再生装置９に送信するものである。
【００５７】
コンテンツ再生装置９（９ａ、９ｂ、９ｃ、…）は、コンテンツ記憶装置Ｃに記憶されたコンテンツを閲覧又はコピーし、コンテンツ利用許可証送信装置２から送信された当該コンテンツの利用許可証をコンテンツ利用許可証受信装置７から取得して、当該コンテンツを再生するものである。このコンテンツ再生装置は、例えば、パーソナルコンピュータや、テレビジョン受像機や、携帯電話などである。
【００５８】
なお、ゲートウェイ（ＧＷ）４は、イントラネット３とインターネット５との各ネットワークを接続するための装置である。このゲートウェイ４は、例えば、ＩＰルータ（ＩＰ：Ｉｎｔｅｒｎｅｔ  Ｐｒｏｔｏｃｏｌ）であり、イントラネット３内への不正アクセスを防ぐファイアーウォールの機能を有するものである。
【００５９】
また、中継装置６は、例えばルータであり、ネットワーク上を流れる通信データを他のネットワークに中継するものである。なお、図１では、コンテンツ利用許可証受信装置７及びコンテンツ利用許可証送信装置２の間の伝送路上において、メインレコーダＲ側の２つの中継装置６ａ、６ｂのみを図示している。
【００６０】
以下、著作権管理システムＳにおいて、コンテンツ利用許可証を送信するコンテンツ利用許可証送信装置２と、このコンテンツ利用許可証を受信するコンテンツ利用許可証受信装置７とについて詳細に説明する。
【００６１】
（コンテンツ利用許可証送信装置の構成）
まず、図２を参照（適宜図１参照）して、コンテンツ利用許可証送信装置２の構成について説明する。図２は、本発明の第１の実施の形態におけるコンテンツ利用許可証送信装置の構成を示したブロック図である。コンテンツ利用許可証送信装置２は、通信送受信手段２１と、暗号・電子署名処理手段２２と、アカウント発行手段２３と、アカウント検証手段２４と、受信装置管理情報登録手段２５と、受信装置管理情報記憶手段２６と、受信装置情報受信手段２７と、許可判定手段２８と、利用許可証送信手段２９とを備える。
【００６２】
通信送受信手段２１は、ネットワーク（イントラネット３等）を介して、通信データの送受信を行うものである。例えば、通信送受信手段２１は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）の通信プロトコルによって通信データの送受信を行うものである。
【００６３】
暗号・電子署名処理手段２２は、通信データに電子署名を施して付加し、また、公開鍵暗号系の公開鍵及び秘密鍵を生成するとともに、この公開鍵で暗号化された通信データを秘密鍵によって復号するものである。ここでは、暗号・電子署名処理手段２２は、電子署名付加部２２ａと、鍵生成部２２ｂと、復号部２２ｃとを備える。
【００６４】
電子署名付加部２２ａは、通信データに当該コンテンツ利用許可証送信装置２の電子署名を施して付加するものである。ここで電子署名が施された通信データは通信送受信手段２１を介してコンテンツ利用許可証受信装置７に送信される。ここでは、電子署名付加部２２ａは、後記するアカウント発行手段２３から入力されたアカウントと、後記する鍵生成部２２ｂによって生成された公開鍵とに電子署名を施して付加し、通信送受信手段２１を介してコンテンツ利用許可証受信装置７に送信する。なお、コンテンツ利用許可証受信装置７は、コンテンツ利用許可証送信装置２の電子署名の検証鍵を図示しない記憶手段に予め記憶していることとする。
【００６５】
鍵生成部２２ｂは、後記するアカウント検証手段２４の検証部２４ｂからの指令に基づいて公開鍵暗号系の公開鍵及び秘密鍵を生成するものである。ここで生成された公開鍵は電子署名付加部２２ａに出力され、通信送受信手段２１を介してコンテンツ利用許可証受信装置７に送信される。
【００６６】
復号部２２ｃは、鍵生成部２２ｂで生成された公開鍵により暗号化された通信データを通信送受信手段２１を介して受信し、この通信データを秘密鍵によって復号するものである。ここでは、復号部２２ｃは、コンテンツ利用許可証受信装置７において暗号化された登録端末情報、登録経路情報、登録ＧＰＳ情報、端末情報、経路情報及びＧＰＳ情報（詳細は後記する） を、通信送受信手段２１を介して受信して復号する。ここで復号された登録端末情報、登録経路情報及び登録ＧＰＳ情報は受信装置管理情報登録手段２５に、端末情報、経路情報及びＧＰＳ情報は受信装置情報受信手段２７に、それぞれ出力される。
【００６７】
アカウント発行手段２３は、通信送受信手段２１を介してメインレコーダＲのコンテンツ利用許可証受信装置７から受信したアカウントの発行要求に基づいて、アカウント（受信装置ＩＤ）を発行するものである。ここで、アカウント発行手段２３は、コンテンツ利用許可証受信装置７から、当該コンテンツ利用許可証受信装置７の電子署名の検証鍵を受信し、この検証鍵の正当性を確認する。なお、例えば、ＰＫＩ（Ｐｕｂｌｉｃ  Ｋｅｙ  Ｉｎｆｒａｓｔｒｕｃｔｕｒｅ；公開鍵暗号基盤）による検証鍵発行証明書などによって、検証鍵の正当性を確認することができる。そして、正当性が確認された場合には、アカウント発行手段２３は、このメインレコーダＲに対するアカウントを生成する。ここで生成されたアカウントは、コンテンツ利用許可証受信装置７の電子署名の検証鍵と対応付けてアカウント情報２６ａとして受信装置管理情報記憶手段２６に記憶されるとともに、暗号・電子署名処理手段２２の電子署名付加部２２ａに出力され、当該コンテンツ利用許可証送信装置２の電子署名が施された後に通信送受信手段２１を介してコンテンツ利用許可証受信装置７に出力される。
【００６８】
アカウント検証手段２４は、通信送受信手段２１を介してコンテンツ利用許可証受信装置７から受信したアカウントを検証するものである。ここでは、アカウント検証手段２４は、受信部２４ａと、検証部２４ｂとを備える。
【００６９】
受信部２４ａは、通信送受信手段２１を介してコンテンツ利用許可証受信装置７からアカウントを受信するものである。ここで、コンテンツ利用許可証受信装置７から受信したアカウントには、電子署名付加部２２ａによって施された当該コンテンツ利用許可証送信装置２の電子署名と、コンテンツ利用許可証受信装置７によって施された電子署名とが付加されている。
【００７０】
検証部２４ｂは、受信部２４ａによって受信したアカウントの検証を行うものである。ここで、検証部２４ｂは、受信装置管理情報記憶手段２６に記憶されているアカウント情報２６ａに基づいて、このアカウントに対応する検証鍵を読み出し、アカウントに付加されたコンテンツ利用許可証受信装置７の電子署名の検証を行う。そして、アカウントの正当性が確認されたら、検証部２４ｂは、公開鍵の生成の指令（鍵生成指令）を鍵生成部２２ｂに出力する。また、検証部２４ｂは、アカウントを許可判定手段２８の受信装置管理情報読み出し部２８ａに通知する。
【００７１】
受信装置管理情報登録手段２５は、復号部２２ｃから入力される登録端末情報、登録経路情報及び登録ＧＰＳ情報を、アカウント検証手段２４によって検証されたアカウントに対応させて受信装置管理情報記憶手段２６に書き込むものである。ここで、受信装置管理情報記憶手段２６に書き込まれた登録端末情報、登録経路情報及び登録ＧＰＳ情報は、後記する許可判定手段２８によって、コンテンツ再生装置９に対してコンテンツの再生を許可するか否かを判定する際に、許可する条件を示すものとなる。以下、登録端末情報、登録経路情報及び登録ＧＰＳ情報について説明する。
【００７２】
登録端末情報とは、コンテンツ再生装置９に対してコンテンツの再生を許可する位置においてメインレコーダＲにローカルエリアネットワークで接続される装置（図１では、コンテンツ再生装置９ａ、９ｂ、９ｃ、…）を識別する識別情報を含む情報である。ここでは、登録端末情報は、更に、メインレコーダＲの識別情報も含むこととした。そして、ここでは、メインレコーダＲ及び接続された装置の固有情報の各々を、コンテンツ利用許可証受信装置７の内部変換関数ｆ（ｘ）で変換したものを識別情報とし、この識別情報を連接したものを登録端末情報とした。例えば、メインレコーダＲにコンテンツ再生装置９ａ、９ｂ、９ｃ、…が接続され、それぞれの固有情報をＩＤR、ＩＤa、ＩＤb、ＩＤc…とし、コンテンツ利用許可証受信装置７の内部変換関数をｆ（ｘ）とすると、登録端末情報は、「ｆ（ＩＤR）、ｆ（ＩＤa）、ｆ（ＩＤb）、ｆ（ＩＤc）、…」となる。
【００７３】
なお、この登録端末情報は、前記した固有情報を内部変換関数で変換したものに限定されない。また、登録端末情報は、少なくともコンテンツ再生装置９ａ、９ｂ、９ｃ、…を識別する識別情報を備えていればよい。
【００７４】
また、登録経路情報とは、コンテンツ再生装置９に対してコンテンツの再生が許可された位置において、コンテンツ利用許可証受信装置７及びコンテンツ利用許可証送信装置２の間を伝送される通信データの経路を示す情報であり、この経路における少なくともひとつの中継装置６（図１参照）を識別する識別情報を含む情報である。ここで、この中継装置６は、通信データが伝送される経路上においてコンテンツ利用許可証受信装置７に近い中継装置６ほど、このコンテンツ利用許可証受信装置７の位置に依存して定まる。そのため、この通信データが伝送される経路上においてコンテンツ利用許可証受信装置７に近い中継装置６の識別情報を含む登録経路情報とすることで、この登録経路情報は、コンテンツ利用許可証受信装置７と、このコンテンツ利用許可証受信装置７にローカルエリアネットワークで接続されたコンテンツ再生装置９の位置を示す情報となる。
【００７５】
ここでは、登録経路情報は、コンテンツ利用許可証受信装置７とコンテンツ利用許可証送信装置２との間を伝送される通信データの経路上の中継装置６のうち、経路上においてコンテンツ利用許可証受信装置７に最も近い中継装置６ａと、その次に近い中継装置６ｂとの識別情報からなることとした。そして、ここでは、登録経路情報を、コンテンツ再生装置９に対してコンテンツの再生を許可する位置において、コンテンツ利用許可証受信装置７から送信されたメインレコーダＲの識別情報ｆ（ＩＤR）が中継装置６ａ、６ｂを通過する際に付加される、当該中継装置６ａ、６ｂの電子署名の検証鍵とした。なお、この登録端末情報は、中継装置６の検証鍵に限定されることなく、例えば、トレースルート（ｔｒａｃｅｒｏｕｔｅ）によって取得されたＩＰアドレスによって示される経路情報を用いることとしてもよい。このとき、コンテンツ利用許可証送信装置２は、コンテンツ利用許可証受信装置７からメインレコーダＲの識別情報ｆ（ＩＤR）を受信することなく登録経路情報を取得することができる。
【００７６】
また、登録ＧＰＳ情報は、コンテンツ再生装置９に対してコンテンツの再生が許可された当該コンテンツ再生装置９の位置を、緯度と経度によって示した情報であり、後記するコンテンツ再生装置９ａ、９ｂ、９ｃ、…の少なくともひとつによって、全地球的測位システム（ＧＰＳ；Ｇｌｏｂａｌ  Ｐｏｓｉｔｉｏｎｉｎｇ  Ｓｙｓｔｅｍ）を用いて取得される。なお、この登録端末情報、登録経路情報及び登録ＧＰＳ情報は、１つのアカウントに対してそれぞれ複数登録されていてもよい。
【００７７】
受信装置管理情報記憶手段２６は、アカウント情報２６ａに登録端末情報２６ｂ、登録経路情報２６ｃ及び登録ＧＰＳ情報２６ｄを対応させた受信装置管理情報を記憶するもので、半導体メモリ、ハードディスク等の一般的な記憶手段である。アカウント情報２６ａは、アカウント発行手段２３によって書き込まれ、アカウントと、このアカウントに対応するメインレコーダＲのコンテンツ利用許可証受信装置７の検証鍵とを対応させて記憶する。また、登録端末情報２６ｂ、登録経路情報２６ｃ及び登録ＧＰＳ情報２６ｄは、受信装置管理情報登録手段２５によって書き込まれる。この受信装置管理情報は、後記する許可判定手段２８によって、コンテンツ再生装置９に対してコンテンツの再生を許可するか否かを判定する際に参照されて用いられる。なお、ここでは、受信装置管理情報記憶手段２６に記憶されたアカウント情報２６ａ、登録端末情報２６ｂ、登録経路情報２６ｃ及び登録ＧＰＳ情報２６ｄに対して、符号（２６ａ、２６ｂ、２６ｃ、２６ｄ）を付加している。
【００７８】
受信装置情報受信手段２７は、アカウント検証手段２４によって検証されたアカウントに対応し、復号部２２ｃから入力される端末情報、経路情報及びＧＰＳ情報を受信するものである。ここで受信された端末情報、経路情報及びＧＰＳ情報は、許可判定手段２８の端末判定部２８ｂ、経路判定部２８ｃ、ＧＰＳ判定部２８ｄにそれぞれ出力される。以下、端末情報、経路情報及びＧＰＳ情報について説明する。
【００７９】
端末情報は、メインレコーダＲにローカルエリアネットワークで接続されている装置の識別情報を含む情報である。ここでは、端末情報は、更に、メインレコーダＲの識別情報も含むこととし、メインレコーダＲ及び接続されたすべての装置の固有情報を、コンテンツ利用許可証受信装置７の内部変換関数ｆ（ｘ）で変換したものを端末情報とした。
【００８０】
また、経路情報は、コンテンツ利用許可証受信装置７及びコンテンツ利用許可証送信装置２の間を伝送される通信データの経路における少なくともひとつの中継装置６を識別する識別情報を含む情報である。ここでは、登録経路情報は、この経路上の中継装置６のうち、経路上においてコンテンツ利用許可証受信装置７に最も近い中継装置６ａと、その次に近い中継装置６ｂとの識別情報からなることとし、コンテンツ利用許可証受信装置７から送信された端末情報が中継装置６ａ、６ｂを通過する際に付加される、当該中継装置６ａ、６ｂの電子署名の検証鍵とした。
【００８１】
また、ＧＰＳ情報は、コンテンツ再生装置９の位置を、緯度と経度によって示した情報である。ここで、登録端末情報、登録経路情報及び登録ＧＰＳ情報は、この端末情報、経路情報及びＧＰＳ情報が受信されるより前に、コンテンツ利用許可証受信装置７から送信され、コンテンツ再生装置９に対してコンテンツの再生を許可する条件となる、当該コンテンツ再生装置９の位置や、ローカルエリアネットワークで接続された装置の識別情報を示している。一方、この端末情報、経路情報及びＧＰＳ情報は、コンテンツ再生装置９（９ａ、９ｂ、９ｃ、…）のいずれかからコンテンツ利用許可証が要求されている時点におけるコンテンツ再生装置９の位置や、ローカルエリアネットワークで接続された装置の識別情報を示している。
【００８２】
許可判定手段２８は、受信装置情報受信手段２７で受信された端末情報、経路情報及びＧＰＳ情報に基づいて、登録端末情報、登録経路情報及び登録ＧＰＳ情報位置によって示される位置にコンテンツ利用許可証を要求したコンテンツ再生装置９があるかを判定するものである。ここでは、許可判定手段２８は、受信装置管理情報読み出し部２８ａと、端末判定部２８ｂと、経路判定部２８ｃと、ＧＰＳ判定部２８ｄとを備える。
【００８３】
受信装置管理情報読み出し部２８ａは、アカウント検証手段２４の検証部２４ｂから入力されたアカウントに対応する登録端末情報２６ｂ、登録経路情報２６ｃ及び登録ＧＰＳ情報２６ｄを、受信装置管理情報記憶手段２６から読み出すものである。ここで読み出された登録端末情報２６ｂ、登録経路情報２６ｃ及び登録ＧＰＳ情報２６ｄは、端末判定部２８ｂ、経路判定部２８ｃ及びＧＰＳ判定部２８ｄにそれぞれ出力される。
【００８４】
端末判定部２８ｂは、受信装置管理情報読み出し部２８ａによって読み出された登録端末情報２６ｂによって示される装置の識別情報と、受信装置情報受信手段２７から入力された端末情報によって示される装置の識別情報とが一致するかを判定するものである。なお、端末判定部２８ｂは、登録端末情報２６ｂによって示される装置の識別情報のすべてと、端末情報によって示される装置の識別情報のすべてが一致するかを判定することとしてもよいし、登録端末情報２６ｂによって示される装置のうちの所定数以上の装置の識別情報と、端末情報によって示される装置のうちの所定数以上の装置の識別情報が一致するかを判定することとしてもよい。なお、この所定数は、コンテンツ利用許可証受信装置７及びコンテンツ再生装置９を他の場所に持ち出して不正に利用する場合に、コンテンツ利用許可証受信装置７及びコンテンツ再生装置９とともに持ち歩くことが想定できない程度台数以上の数を設定することが望ましく、例えば、３以上とすることが望ましい。また、厳密に判定を行うのであれば、登録端末情報２６ｂによって示される装置のすべての数とすることが望ましい。
【００８５】
また、当該アカウントに対応する登録端末情報２６ｂが複数ある、つまり、複数のローカルエリアネットワークについての登録端末情報２６ｂがある場合には、端末判定部２８ｂは、各々の登録端末情報２６ｂについて判定する。ここで判定された判定結果は、利用許可証送信手段２９に出力される。
【００８６】
なお、コンテンツ再生装置９に対してコンテンツの再生が許可された位置と同じ位置において、コンテンツ利用許可証受信装置７から端末情報が送信された場合には、登録端末情報を送信した時点においてローカルエリアネットワークでコンテンツ利用許可証受信装置７に接続されていた装置のうちの全部あるいは大半の装置が、同じく接続されている可能性が高い。また、コンテンツ再生装置９に対してコンテンツの再生が許可された位置と異なる位置に、ユーザによってメインレコーダＲとコンテンツ再生装置９（９ａ、９ｂ、９ｃ、…）の少なくとも１つが持ち出されてコンテンツ利用許可証受信装置７から端末情報が送信された場合には、登録端末情報を送信した時点においてローカルエリアネットワークでコンテンツ利用許可証受信装置７に接続されていた他の装置が全くないか、当該メインレコーダＲ及びコンテンツを再生するコンテンツ再生装置９とともに持ち出されたわずかな数の装置しか接続されていない可能性が高い。そのため、端末判定部２８ｂは、登録端末情報２６ｂによって示される装置の識別情報と、端末情報によって示される装置の識別情報が一致するかを判定することで、コンテンツ利用許可証を要求したコンテンツ再生装置９が、コンテンツの再生が許可された位置にあるかを判定することができる。
【００８７】
経路判定部２８ｃは、受信装置管理情報読み出し部２８ａによって読み出された登録経路情報２６ｃによって示される中継装置６の識別情報と、受信装置情報受信手段２７から入力された経路情報によって示される中継装置６の識別情報とが一致するかを判定するものである。なお、端末判定部２８ｂは、登録経路情報２６ｃによって示される２つ中継装置６の識別情報と、端末情報によって示される２つの中継装置の識別情報の両方が一致するかを判定することとしてもよいし、少なくとも１つが一致しているかを判定することとしてもよい。また、当該アカウントに対応する登録経路情報２６ｃが複数ある、つまり、コンテンツ再生装置９に対してコンテンツの再生を許可する位置が複数あり、それぞれの経路を示す登録経路情報２６ｃがある場合には、経路判定部２８ｃは、各々の登録経路情報２６ｃについて判定する。ここで判定された判定結果は利用許可証送信手段２９に出力される。
【００８８】
ここで、コンテンツ利用許可証受信装置７から送信された通信データが中継装置６ａに最初に中継された場合、この中継装置６ａによって中継されるネットワークが構築されている所定の範囲内に当該コンテンツ利用許可証受信装置７が位置することを示している。そのため、経路判定部２８ｃは、登録経路情報２６ｃによって示される中継装置６の識別情報と、端末情報によって示される中継装置６の識別情報が一致するかを判定することで、コンテンツ再生装置９に対してコンテンツの再生が許可された位置を含む所定の範囲内に、コンテンツ利用許可証を要求したコンテンツ再生装置９があるかを判定することができる。
【００８９】
ＧＰＳ判定部２８ｄは、受信装置管理情報読み出し部２８ａによって読み出された登録ＧＰＳ情報２６ｄによって示される位置の所定の範囲内に、受信装置情報受信手段２７から入力されたＧＰＳ情報によって示される位置が含まれるかを判定するものである。ここで判定された判定結果は利用許可証送信手段２９に出力される。なお、当該アカウントに対応する登録ＧＰＳ情報２６ｄが複数ある、つまり、コンテンツ再生装置９に対してコンテンツの再生を許可する位置が複数あり、それぞれの位置の緯度及び経度の情報を示す登録ＧＰＳ情報がある場合には、ＧＰＳ判定部２８ｄは、各々の登録ＧＰＳ情報２６ｄについて判定する。
【００９０】
なお、ＧＰＳによって取得された緯度と経度によって示される位置には、数十メートルの誤差が含まれており、コンテンツ再生装置９に対してコンテンツの再生が許可された位置は、登録ＧＰＳ情報２６ｄの緯度と経度の情報によって示される位置に誤差を加えた範囲内に含まれ、コンテンツ利用許可証を要求したコンテンツ再生装置９は、ＧＰＳ情報の緯度と経度の情報によって示される位置に誤差を加えた範囲内に含まれる。そのため、ＧＰＳ判定部２８ｄは、登録ＧＰＳ情報２６ｄの緯度と経度によって示される位置からのずれの許容範囲として適切な値を予め設定し、ＧＰＳ情報の緯度と経度の値がこの範囲に含まれるかを判定することで、コンテンツ再生装置９に対してコンテンツの再生が許可された位置を含む所定の範囲内に、コンテンツ利用許可証を要求したコンテンツ再生装置９があるかを判定することができる。
【００９１】
利用許可証送信手段２９は、許可判定手段２８の端末判定部２８ｂ、経路判定部２８ｃ及びＧＰＳ判定部２８ｄによって判定された判定結果に基づいて、コンテンツ利用許可証を生成して、コンテンツ利用許可証受信装置７に送信するものである。ここで、利用許可証送信手段２９は、端末判定部２８ｂ、経路判定部２８ｃ及びＧＰＳ判定部２８ｄのすべてが、コンテンツの再生が許可された位置に、コンテンツ利用許可証を要求したコンテンツ再生装置９があると判定した場合に、コンテンツ利用許可証を送信することとしてもよい。例えば、端末判定部２８ｂ、経路判定部２８ｃ及びＧＰＳ判定部２８ｄのうちの少なくとも２つ以上が、コンテンツの再生が許可された位置に、コンテンツ利用許可証を要求したコンテンツ再生装置９があると判定した場合に、コンテンツ利用許可証を送信することとしてもよい。また、端末判定部２８ｂ、経路判定部２８ｃ及びＧＰＳ判定部２８ｄのいずれか１つの判定結果のみに基づいてコンテンツ利用許可証を送信することとしてもよい。ここで生成されたコンテンツ利用許可証は、通信送受信手段２１を介してコンテンツ利用許可証受信装置７に送信される。
【００９２】
なお、ここでは、利用許可証送信手段２９は、コンテンツ利用許可証を要求したコンテンツ再生装置９の識別情報に、当該コンテンツ利用許可証送信装置２の電子署名を施し、この電子署名をコンテンツ利用許可証とすることとした。例えば、コンテンツ再生装置９ａによってコンテンツ利用許可証が要求され、当該コンテンツ再生装置９ａの識別情報であるｆ（ＩＤa）が、コンテンツ再生装置９ａあるいはコンテンツ利用許可証受信装置７から通知されている場合には、利用許可証送信手段２９は、この識別情報ｆ（ＩＤa）に、当該コンテンツ利用許可証送信装置２の電子署名を施したＳＩＧｓｐ（ｆ（ＩＤa））をコンテンツ利用許可証として生成する。なお、ここで、ＳＩＧｓｐ（ｘ）は、通信データｘに対して施された当該コンテンツ利用許可証送信装置２の電子署名を示すこととする。
【００９３】
そして、このコンテンツ利用許可証を受信したコンテンツ再生装置９は、予め通知されているコンテンツ利用許可証送信装置２の検証鍵でコンテンツ利用許可証を解凍して得られた識別情報と、当該コンテンツ再生装置９の固有情報に基づいて算出した識別情報とが一致するかを確認する。そして、一致する場合にのみ、コンテンツ再生装置９がコンテンツの再生あるいは再生の継続を行えるようにすることで、コンテンツ利用許可証送信装置２は、コンテンツ再生装置９が正当なコンテンツ利用許可証を受信した場合にのみコンテンツの再生を許可することができる。
【００９４】
以上のようにコンテンツ利用許可証送信装置２を構成することで、コンテンツ利用許可証送信装置２は、コンテンツ再生装置９に対してコンテンツの再生を許可する位置において、コンテンツ利用許可証受信装置７とローカルエリアネットワークで接続されている装置の識別情報と、コンテンツ利用許可証受信装置７と当該コンテンツ利用許可証送信装置２との間の通信データの経路を示す情報と、コンテンツ再生装置９の位置を示す情報とを受信装置管理情報記憶手段２６に記憶することで、コンテンツの再生を許可する位置を登録することができる。
【００９５】
また、コンテンツ利用許可証送信装置２は、コンテンツの再生を許可する位置として登録されている位置に、コンテンツ再生装置９がある場合には、コンテンツ利用許可証をコンテンツ利用許可証受信装置７に送信することができる。そのため、ユーザは予め登録された位置でのみ、コンテンツ再生装置９によって当該コンテンツを再生することができ、ユーザがコンテンツを他の場所で不正に利用することを防止できる。
【００９６】
また、コンテンツ利用許可証送信装置２は、コンピュータにおいて各手段を各機能プログラムとして実現することも可能であり、また、各機能プログラムを結合して、コンテンツ利用許可証送信プログラムとして動作させることも可能である。
【００９７】
（コンテンツ利用許可証受信装置の構成）
次に、図３を参照（適宜図１参照）して、コンテンツ利用許可証受信装置７の構成について説明する。なお、ここではコンテンツ再生装置９ａがコンテンツ利用許可証を要求した場合について説明する。図３は、本発明の第１の実施の形態におけるコンテンツ利用許可証受信装置の構成を示したブロック図である。コンテンツ利用許可証受信装置７は、通信送受信手段７１と、ローカルエリアネットワーク送受信手段７２と、暗号・電子署名処理手段７３と、アカウント登録手段７４と、アカウント記憶手段７５と、受信装置情報送信手段７６と、公開鍵受信手段７７と、端末固有情報取得手段７８と、地理情報受信手段７９と、受信装置固有情報読み出し手段８０と、受信装置固有情報記憶手段８１と、利用許可証取得手段８２とを備える。
【００９８】
通信送受信手段７１は、ネットワーク（インターネット５等）を介して、通信データの送受信を行うものである。例えば、通信送受信手段７１は、ＴＣＰ／ＩＰの通信プロトコルによって通信データの送受信を行うものである。
【００９９】
ローカルエリアネットワーク送受信手段７２は、ローカルエリアネットワークを介して、通信データの送受信を行うものである。例えば、ローカルエリアネットワーク送受信手段７２は、ＴＣＰ／ＩＰの通信プロトコルによって通信データの送受信を行うものである。
【０１００】
暗号・電子署名処理手段７３は、通信データに電子署名を施し、また、公開鍵暗号系の公開鍵で通信データを暗号化するものである。ここでは、暗号・電子署名処理手段７３は、電子署名付加部７３ａと、暗号化部７３ｂとを備える。
【０１０１】
電子署名付加部７３ａは、通信データに当該コンテンツ利用許可証受信装置７の電子署名を施すものである。ここで電子署名が施された通信データは通信送受信手段７１を介してコンテンツ利用許可証送信装置２に送信される。ここでは、電子署名付加部７３ａは、後記する受信装置情報送信手段７６のアカウント送信部７６ａから入力されたアカウントに電子署名を施して付加し、通信送受信手段７１を介してコンテンツ利用許可証送信装置２に送信する。
【０１０２】
暗号化部７３ｂは、後記する公開鍵受信手段７７によって受信された公開鍵で通信データを暗号化するものである。ここでは、暗号化部７３ｂは、後記する受信装置情報送信手段７６から入力された端末情報、経路情報及びＧＰＳ情報（登録端末情報、登録経路情報及び登録ＧＰＳ情報）を暗号化して、通信送受信手段７１を介してコンテンツ利用許可証送信装置２に送信する。
【０１０３】
アカウント登録手段７４は、図示しない入力手段によってユーザから入力された、アカウントの発行要求の送信の指令に基づいて、コンテンツ利用許可証送信装置２にアカウントの発行要求を送信し、コンテンツ利用許可証送信装置２によって発行されたアカウントを受信するものである。ここでは、アカウント登録手段７４は、アカウント要求送信部７４ａと、アカウント受信部７４ｂとを備える。
【０１０４】
アカウント要求送信部７４ａは、図示しない入力手段によってユーザから入力された、アカウントの発行要求の送信の指令に基づいて、コンテンツ利用許可証送信装置２にアカウントの発行要求を送信するものである。ここでは、アカウント要求送信部７４ａは、当該コンテンツ利用許可証受信装置７の電子署名の検証鍵を、通信送受信手段７１を介してコンテンツ利用許可証送信装置２に送信する。
【０１０５】
アカウント受信部７４ｂは、コンテンツ利用許可証送信装置２によって発行されたアカウントを、通信送受信手段７１を介して受信するものである。ここで、コンテンツ利用許可証送信装置２から受信したアカウントには、電子署名付加部２２ａによって施された当該コンテンツ利用許可証送信装置２の電子署名が付加されている。このアカウントは、アカウント記憶手段７５に記憶される。
【０１０６】
アカウント記憶手段７５は、コンテンツ利用許可証送信装置２で発行されたアカウントを記憶するもので、半導体メモリ、ハードディスク等の一般的な記憶手段である。このアカウント記憶手段７５に記憶されたアカウントは、受信装置情報送信手段７６のアカウント送信部７６ａによって読み出される。
【０１０７】
受信装置情報送信手段７６は、当該メインレコーダＲを示すアカウントと、端末情報、経路情報及びＧＰＳ情報（登録端末情報、登録経路情報及び登録ＧＰＳ情報）とを、コンテンツ利用許可証送信装置２に送信するものである。ここで、受信装置情報送信手段７６は、アカウント送信部７６ａと、端末情報送信部７６ｂと、経路情報送信部７６ｃと、ＧＰＳ情報送信部７６ｄとを備える。
【０１０８】
アカウント送信部７６ａは、ローカルエリアネットワーク送受信手段７２を介してコンテンツ再生装置９ａから受信した、コンテンツ利用許可証の要求、あるいは、図示しない入力手段からユーザによって入力された、コンテンツ再生装置９に対してコンテンツの再生を許可する位置の登録の指令に基づいて、アカウント記憶手段７５からアカウントを読み出し、コンテンツ利用許可証送信装置２に送信するものである。ここでは、アカウント送信部７６ａは、アカウント記憶手段７５から、コンテンツ利用許可証送信装置２の電子署名が施されたアカウントを読み出して暗号・電子署名処理手段７３の電子署名付加部７３ａに出力し、電子署名付加部７３ａによって更に電子署名を施して、通信送受信手段７１を介してコンテンツ利用許可証送信装置２に送信する。
【０１０９】
端末情報送信部７６ｂは、後記する端末固有情報取得手段７８及び受信装置固有情報読み出し手段８０から入力された、メインレコーダＲ、及び、当該メインレコーダＲにローカルエリアネットワークで接続されている装置（図３では、コンテンツ再生装置９ａ、９ｂ、９ｃ、…）の固有情報に基づいて、メインレコーダＲ、及び、当該メインレコーダＲに接続されている装置を識別する識別情報を含む情報を生成して、コンテンツ利用許可証送信装置２に送信するものである。
【０１１０】
ここで、受信装置情報送信手段７６に、コンテンツ再生装置９ａからコンテンツ利用許可証の要求が入力されている場合には、この情報は端末情報となり、図示しない入力手段から、コンテンツの再生を許可する位置の登録の指令が入力されている場合には、この情報は、登録端末情報となる。ここで生成された端末情報及び登録端末情報は暗号化部７３ｂに出力され、後記する公開鍵受信手段によって受信された公開鍵によって暗号化された後に、通信送受信手段７１を介してコンテンツ利用許可証送信装置２に送信される。
【０１１１】
なお、ここでは、端末情報送信部７６ｂは、メインレコーダＲ、及び、当該メインレコーダＲに接続されている装置の固有情報を内部変換関数ｆ（ｘ）で変換したものを、メインレコーダＲ及び接続されている装置の識別情報として生成することとした。
【０１１２】
経路情報送信部７６ｃは、後記する受信装置固有情報読み出し手段８０から入力された、メインレコーダＲの固有情報に基づいて、メインレコーダＲを識別する識別情報を含む情報を生成して、コンテンツ利用許可証送信装置２に送信するものである。ここで生成された情報は暗号化部７３ｂに出力され、後記する公開鍵受信手段７７によって受信された公開鍵によって暗号化された後に、通信送受信手段７１を介してコンテンツ利用許可証送信装置２に送信される。なお、この識別情報には、インターネット５を伝送する経路上の中継装置６ａ、６ｂ、…の電子署名の検証鍵が付加された後に、当該識別情報がコンテンツ利用許可証送信装置２によって受信されるため、これらの検証鍵が、この識別情報の経路を示すものとなる。
【０１１３】
ＧＰＳ情報送信部７６ｄは、後記する地理情報受信手段７９から入力された、コンテンツ再生装置９の位置を示す緯度と経度の情報を、コンテンツ利用許可証送信装置２に送信するものである。
【０１１４】
ここで、受信装置情報送信手段７６に、コンテンツ再生装置９ａからコンテンツ利用許可証の要求が入力されている場合には、この緯度と経度の情報はＧＰＳ情報となり、図示しない入力手段から、コンテンツの再生を許可する位置の登録の指令が入力されている場合には、この情報は、登録ＧＰＳ情報となる。このＧＰＳ情報及び登録ＧＰＳ情報は暗号化部７３ｂに出力され、後記する公開鍵受信手段７７によって受信された公開鍵によって暗号化された後に、通信送受信手段７１を介してコンテンツ利用許可証送信装置２に送信される。
【０１１５】
なお、ＧＰＳ情報送信部７６ｄは、図示しない入力手段によってユーザから入力された、コンテンツ再生装置９に対してコンテンツの再生を許可する位置を示す緯度と経度の情報を、登録ＧＰＳ情報としてコンテンツ利用許可証送信装置２に送信することとしてもよい。
【０１１６】
公開鍵受信手段７７は、通信送受信手段７１を介してコンテンツ利用許可証送信装置２によって生成された公開鍵を受信するものである。ここで、公開鍵受信手段７７は、受信された公開鍵を暗号化部７３ｂに出力するとともに、端末固有情報取得手段７８に対して
ローカルエリアネットワークで接続されている装置の固有情報を取得する指令と、地理情報受信手段７９に対して、コンテンツ再生装置９の位置を示す緯度と経度の情報を取得する指令と、受信装置固有情報読み出し手段８０に対して、当該メインレコーダＲの固有情報を読み出す指令とを出力する。
【０１１７】
なお、ここで、受信装置情報送信手段７６に、コンテンツ再生装置９ａからコンテンツ利用許可証の要求が入力されている場合には、公開鍵受信手段７７は、地理情報受信手段７９に対して、当該コンテンツ再生装置９ａの位置を示す緯度と経度の情報を取得する指令を出力するとともに、受信装置固有情報読み出し手段８０に対して、当該メインレコーダＲの固有情報を読み出して端末情報送信部７６ｂに出力する指令を出力する。なお、ここでは、コンテンツ利用許可証を要求したコンテンツ再生装置９はＧＰＳを用いて緯度と経度の情報を取得する手段を備えていることとする。
【０１１８】
また、受信装置情報送信手段７６に、図示しない入力手段から、コンテンツの再生を許可する位置の登録の指令が入力されている場合には、公開鍵受信手段７７は、地理情報受信手段７９に対して、ＧＰＳを用いて緯度と経度の情報を取得する手段を備えたコンテンツ再生装置９の位置を示す緯度と経度の情報を取得する指令を出力するとともに、受信装置固有情報読み出し手段８０に対して、当該メインレコーダＲの固有情報を読み出して端末情報送信部７６ｂ及び経路情報送信部７６ｃとに出力する指令を出力する。
【０１１９】
端末固有情報取得手段７８は、公開鍵受信手段７７から入力された指令に基づいて、ローカルエリアネットワークを介して接続されたすべての装置（図３では、コンテンツ再生装置９ａ、９ｂ、９ｃ、…）の固有情報を取得するものである。ここで、端末固有情報取得手段７８は、接続されたすべての装置に対してローカルエリアネットワーク送受信手段７２を介して固有情報の要求を送信し、それに基づいて各々の装置から送信された固有情報をローカルエリアネットワーク送受信手段７２を介して受信する。ここで取得された固有情報は、端末情報送信部７６ｂに出力される。
【０１２０】
地理情報受信手段７９は、公開鍵受信手段７７から入力された指令に基づいて、ローカルエリアネットワークを介して接続されたコンテンツ再生装置９の位置の緯度と経度の情報を受信するものである。ここで受信された緯度と経度の情報は、ＧＰＳ情報送信部７６ｄに出力される。
【０１２１】
なお、受信装置情報送信手段７６に、コンテンツ再生装置９ａからコンテンツ利用許可証の要求が入力されている場合には、地理情報受信手段７９は、当該コンテンツ再生装置９ａにローカルエリアネットワーク送受信手段７２を介して緯度と経度の情報の要求を送信し、このコンテンツ再生装置９ａの緯度と経度の情報を取得する。
【０１２２】
また、受信装置情報送信手段７６に、図示しない入力手段から、コンテンツの再生を許可する位置の登録の指令が入力されている場合には、地理情報受信手段７９は、ＧＰＳを用いて緯度と経度の情報を取得する手段を備えた少なくとも１つのコンテンツ再生装置９に対して緯度と経度の情報の要求を送信し、当該コンテンツ再生装置９から緯度と経度の情報を受信する。
【０１２３】
受信装置固有情報読み出し手段８０は、公開鍵受信手段７７から入力された指令に基づいて、受信装置固有情報記憶手段８１に予め記憶された当該メインレコーダＲの固有情報を読み出すものである。ここで読み出された固有情報は、受信装置情報送信手段７６に、コンテンツ再生装置９ａからコンテンツ利用許可証の要求が入力されている場合には、端末情報送信部７６ｂに出力され、受信装置情報送信手段７６に、図示しない入力手段から、コンテンツの再生を許可する位置の登録の指令が入力されている場合には、端末情報送信部７６ｂと経路情報送信部７６ｃとに出力される。
【０１２４】
受信装置固有情報記憶手段８１は、当該メインレコーダＲの固有情報を予め記憶するもので、半導体メモリ、ハードディスク等の一般的な記憶手段である。この受信装置固有情報記憶手段８１に記憶された固有情報は、受信装置固有情報読み出し手段８０によって読み出される。
【０１２５】
利用許可証取得手段８２は、コンテンツ利用許可証送信装置２から、通信送受信手段７１を介してコンテンツ利用許可証を受信し、コンテンツ利用許可証を要求したコンテンツ再生装置９ａに、ローカルエリアネットワーク送受信手段７２を介して、このコンテンツ利用許可証を送信するものである。
【０１２６】
以上のようにコンテンツ利用許可証受信装置７を構成することで、コンテンツ利用許可証受信装置７は、コンテンツの再生を許可する位置において、ローカルエリアネットワークで接続されている装置の識別情報と、当該コンテンツ利用許可証受信装置７とコンテンツ利用許可証送信装置２との間の経路を示す情報と、コンテンツ再生装置９に対してコンテンツの再生を許可する位置を示す緯度と経度の情報とをコンテンツ利用許可証送信装置２に送信することができる。
【０１２７】
また、コンテンツ利用許可証受信装置７は、コンテンツ再生装置９ａからコンテンツ利用許可証の要求を受信した場合には、端末情報と、経路情報と、コンテンツ利用許可証を要求したコンテンツ再生装置９ａの位置を示すＧＰＳ情報とをコンテンツ利用許可証送信装置２に通知することができる。そして、コンテンツの再生を許可する位置としてコンテンツ利用許可証送信装置２にすでに登録されている位置に、当該コンテンツ再生装置９ａがある場合には、コンテンツ利用許可証送信装置２からコンテンツ利用許可証を受信して、当該コンテンツ再生装置９ａに送信することができる。そのため、ユーザは予め登録された位置でのみ当該コンテンツを再生することができ、ユーザがコンテンツを他の場所で不正に利用することを防止できる。
【０１２８】
なお、特許請求の範囲に記載の受信装置情報取得送信手段は、ここでは、ローカルエリアネットワークを介して接続されているコンテンツ再生装置９ａ、９ｂ、９ｃ、…の固有情報（再生装置ＩＤ及び端末ＩＤ）を取得する端末固有情報取得手段７８と、アカウント（受信装置ＩＤ）をコンテンツ利用許可証送信装置２に送信するアカウント送信部７６ａと、コンテンツ再生装置９ａ、９ｂ、９ｃ、…の固有情報に基づいて算出される識別情報を含む端末情報をコンテンツ利用許可証送信装置２に送信する端末情報送信部７６ｂ、あるいは、コンテンツ再生装置９ａから、当該コンテンツ再生装置９ａの位置の緯度及び経度の情報を受信する地理情報受信手段７９と、アカウント（受信装置ＩＤ）をコンテンツ利用許可証送信装置２に送信するアカウント送信部７６ａと、コンテンツ再生装置９ａの緯度及び経度の情報をコンテンツ利用許可証送信装置２に送信するＧＰＳ情報送信部７６ｄが相当する。
【０１２９】
また、コンテンツ利用許可証受信装置７は、コンピュータにおいて各手段を各機能プログラムとして実現することも可能であり、また、各機能プログラムを結合して、コンテンツ利用許可証受信プログラムとして動作させることも可能である。
【０１３０】
なお、ここでは、コンテンツ利用許可証受信装置７には、ローカルエリアネットワークでコンテンツ再生装置９ａ、９ｂ、９ｃ、…が接続されていることとしたが、このコンテンツ再生装置９ａ、９ｂ、９ｃ、…のうちコンテンツ利用許可証を要求したコンテンツ再生装置９が、ここでは、特許請求の範囲に記載のコンテンツ再生装置に相当し、コンテンツ利用許可証を要求していないコンテンツ再生装置９が、ここでは、特許請求の範囲に記載の端末に相当する。なお、端末情報を用いてコンテンツ利用許可証の送信を判定する本発明の著作権管理システムＳでは、ユーザ側に、コンテンツ利用許可証受信装置７と、少なくとも１つのコンテンツ再生装置９と、少なくとも１つの装置（端末）とを備えていればよく、この装置（端末）は、ローカルエリアネットワークを介して固有情報を送信できれば、例えば、ハードディスクレコーダやＤＶＤレコーダのように、コンテンツを再生することができないものであってもよい。また、ローカルエリアネットワークは有線のものであってもよいし無線のものであってもよいし、有線と無線の両方を用いたものであってもよい。
【０１３１】
また、このコンテンツ再生装置９は、コンテンツの再生を開始する際だけでなく、再生開始後にも定期的にコンテンツ利用許可証受信装置７にコンテンツ利用許可証を要求し、コンテンツ利用許可証が受信されなくなったときにはコンテンツの再生を停止するようにすることで、コンテンツの再生開始後に当該コンテンツ再生装置９が、ユーザによって再生が許可されていない位置に移動された場合には再生を停止し、当該コンテンツの不正利用を防止することができる。
【０１３２】
［著作権管理システムの動作（第１の実施の形態）］
次に、図４から図１１を参照して、本発明の第１の実施の形態である著作権管理システムＳの動作について説明する。ここでは、まず、図４から図７を参照して、コンテンツ利用許可証送信装置の動作について説明する。続いて、図８から図１１を参照して、コンテンツ利用許可証受信装置の動作について説明する。
【０１３３】
［コンテンツ利用許可証送信装置のアカウント発行動作］
まず、図４を参照（適宜図１及び図２参照）して、コンテンツ利用許可証送信装置２がコンテンツ利用許可証受信装置７にアカウントを発行する動作（アカウント発行動作）について説明する。図４は、本発明の第１の実施の形態におけるコンテンツ利用許可証送信装置が、コンテンツ利用許可証受信装置にアカウントを発行する動作を示したフローチャートである。
【０１３４】
コンテンツ利用許可証送信装置２は、アカウント発行手段２３によって、通信送受信手段２１を介して、メインレコーダＲのコンテンツ利用許可証受信装置７からのアカウントの発行要求を受信する（ステップＳ１１）。なお、ここでは、コンテンツ利用許可証送信装置２は、アカウントの発行要求として、コンテンツ利用許可証受信装置７の電子署名の検証鍵を受信する。
【０１３５】
そして、コンテンツ利用許可証送信装置２は、アカウント発行手段２３によって、ステップＳ１１で受信した検証鍵の正当性を確認し、ユーザの検証を行う（ステップＳ１２）。そして、検証鍵が正当でない場合には（ステップＳ１２でＮｏ）、そのまま動作を終了する。また、検証鍵が正当である場合には（ステップＳ１２でＹｅｓ）、コンテンツ利用許可証送信装置２は、アカウント発行手段２３によって、メインレコーダＲに対するアカウントを発行する（ステップＳ１３）。
【０１３６】
更に、コンテンツ利用許可証送信装置２は、アカウント発行手段２３によって、ステップＳ１３において発行したアカウントとステップＳ１１において受信した検証鍵とを対応付けて受信装置管理情報記憶手段２６に書き込むとともに、暗号・電子署名処理手段２２の電子署名付加部２２ａによって、ステップＳ１３において発行したアカウントに電子署名を施して、通信送受信手段２１を介してコンテンツ利用許可証受信装置７に送信し（ステップＳ１４）、動作を終了する。
【０１３７】
以上の動作によって、コンテンツ利用許可証送信装置２は、メインレコーダＲのコンテンツ利用許可証受信装置７からのアカウントの発行要求に基づいてアカウントを発行し、当該アカウントを受信装置管理情報記憶手段２６に記憶するとともに、コンテンツ利用許可証受信装置７に送信する。
【０１３８】
［コンテンツ利用許可証送信装置の端末情報／経路情報／ＧＰＳ情報登録動作］
次に、図５を参照（適宜図１及び図２参照）して、コンテンツ利用許可証送信装置２がコンテンツ利用許可証受信装置７から受信した登録端末情報、登録経路情報又は登録ＧＰＳ情報を受信装置管理情報記憶手段２６に書き込む動作（端末情報／経路情報／ＧＰＳ情報登録動作）について説明する。図５は、本発明の第１の実施の形態におけるコンテンツ利用許可証送信装置が、登録端末情報、登録経路情報又は登録ＧＰＳ情報を受信装置管理情報登録手段に書き込む動作を示したフローチャートである。
【０１３９】
コンテンツ利用許可証送信装置２は、アカウント検証手段２４の受信部２４ａによって、通信送受信手段２１を介して、コンテンツ利用許可証受信装置７から当該コンテンツ利用許可証受信装置７の電子署名が施されたアカウントを受信する（ステップＳ２１）。そして、コンテンツ利用許可証送信装置２は、アカウント検証手段２４の検証部２４ｂによって、ステップＳ２１において受信したアカウントに対応する検証鍵を受信装置管理情報記憶手段２６から読み出す（ステップＳ２２）。
【０１４０】
そして、コンテンツ利用許可証送信装置２は、検証部２４ｂによって、ステップＳ２２において読み出した検証鍵で、ステップＳ２１において受信したアカウントに施された電子署名を検証し、アカウントが正当であるかを判断する（ステップＳ２３）。そして、アカウントが正当でない場合には（ステップＳ２３でＮｏ）、そのまま動作を終了する。また、アカウントが正当である場合には（ステップＳ２３でＹｅｓ）、コンテンツ利用許可証送信装置２は、暗号・電子署名処理手段２２の鍵生成部２２ｂによって公開鍵を生成し、電子署名付加部２２ａによって、この公開鍵に電子署名を施して、通信送受信手段２１を介してコンテンツ利用許可証受信装置７に送信する（ステップＳ２４）。
【０１４１】
そして、コンテンツ利用許可証送信装置２は、受信装置管理情報登録手段２５によって、所定の制限時間内に、コンテンツ利用許可証受信装置７から、登録端末情報、登録経路情報又は登録ＧＰＳ情報を受信したかを判断する（ステップＳ２５）。なお、この登録端末情報、登録経路情報又は登録ＧＰＳ情報は、暗号化されており、暗号・電子署名処理手段２２の復号部２２ｃによって復号された後に、受信装置管理情報登録手段２５に受信される。そして、受信しなかった場合には（ステップＳ２５でＮｏ）、そのまま動作を終了する。また、受信した場合には（ステップＳ２５でＹｅｓ）、コンテンツ利用許可証送信装置２は、受信装置管理情報登録手段２５によって、受信装置管理情報記憶手段２６に登録端末情報、登録経路情報又は登録ＧＰＳ情報を書き込み（ステップＳ２６）、動作を終了する。
【０１４２】
以上の動作によって、コンテンツ利用許可証送信装置２は、コンテンツ利用許可証受信装置７から登録端末情報、登録経路情報又は登録ＧＰＳ情報を受信し、受信装置管理情報記憶手段２６に記憶する。
【０１４３】
［コンテンツ利用許可証送信装置の端末情報及び経路情報に基づくコンテンツ利用許可証送信動作］
次に、図６を参照（適宜図１及び図２参照）して、コンテンツ利用許可証送信装置２が端末情報及び経路情報に基づいてコンテンツ利用許可証受信装置７にコンテンツ利用許可証を送信する動作（端末情報及び経路情報に基づくコンテンツ利用許可証送信動作）について説明する。図６は、本発明の第１の実施の形態におけるコンテンツ利用許可証送信装置が、端末情報及び経路情報に基づいてコンテンツ利用許可証を送信する動作を示したフローチャートである。
【０１４４】
コンテンツ利用許可証送信装置２は、アカウント検証手段２４の受信部２４ａによって、通信送受信手段２１を介して、コンテンツ利用許可証受信装置７から電子署名が施されたアカウントを受信する（ステップＳ３１）。そして、コンテンツ利用許可証送信装置２は、アカウント検証手段２４の検証部２４ｂによって、ステップＳ３１において受信したアカウントに対応する検証鍵を受信装置管理情報記憶手段２６から読み出す（ステップＳ３２）。
【０１４５】
そして、コンテンツ利用許可証送信装置２は、検証部２４ｂによって、ステップＳ３２において読み出した検証鍵に基づいて、ステップＳ３１において受信したアカウントが正当であるかを判断する（ステップＳ３３）。そして、アカウントが正当でない場合には（ステップＳ３３でＮｏ）、そのまま動作を終了する。また、アカウントが正当である場合には（ステップＳ３３でＹｅｓ）、コンテンツ利用許可証送信装置２は、暗号・電子署名処理手段２２の鍵生成部２２ｂによって公開鍵を生成し、電子署名付加部２２ａによって、この公開鍵に電子署名を施して、通信送受信手段２１を介してコンテンツ利用許可証受信装置７に送信する（ステップＳ３４）。
【０１４６】
そして、コンテンツ利用許可証送信装置２は、受信装置情報受信手段２７によって、所定の制限時間内に、コンテンツ利用許可証受信装置７から端末情報及び経路情報を受信したかを判断する（ステップＳ３５）。なお、この端末情報及び経路情報は、暗号化されており、暗号・電子署名処理手段２２の復号部２２ｃによって復号された後に、受信装置情報受信手段２７に受信される。そして、受信しなかった場合には（ステップＳ３５でＮｏ）、そのまま動作を終了する。また、受信した場合には（ステップＳ３５でＹｅｓ）、コンテンツ利用許可証送信装置２は、許可判定手段２８の受信装置管理情報読み出し部２８ａによって、受信装置管理情報記憶手段２６に記憶された登録端末情報２６ｂ及び登録経路情報２６ｃを読み出す（ステップＳ３６）。
【０１４７】
そして、コンテンツ利用許可証送信装置２は、暗号・電子署名処理手段２２の復号部２２ｃによって、ステップＳ３５において受信した、暗号化された端末情報及び経路情報を復号して、この端末情報及び経路情報と、ステップＳ３６において読み出された登録端末情報２６ｂ及び登録経路情報２６ｃとに基づいて、許可判定手段２８の端末判定部２８ｂ及び経路判定部２８ｃによって、端末情報及び経路情報が正当であるかを判定する（ステップＳ３７；許可判定ステップ）。つまり、コンテンツ利用許可証送信装置２は、許可判定手段２８の端末判定部２８ｂによって、ステップＳ３６において読み出された登録端末情報２６ｂによって示される装置の識別情報と、復号した端末情報によって示される装置の識別情報とが一致するかを判定するとともに、ステップＳ３６において読み出された登録経路情報２６ｃによって示される中継装置の識別情報と、復号した経路情報によって示される中継装置の識別情報とが一致するかを判定する。
【０１４８】
そして、正当でないと判定された場合には（ステップＳ３７でＮｏ）、そのまま動作を終了する。また、正当であると判定された場合には（ステップＳ３７でＹｅｓ）、コンテンツ利用許可証送信装置２は、利用許可証送信手段２９によって、コンテンツ利用許可証を生成する（ステップＳ３８）。そして、コンテンツ利用許可証送信装置２は、利用許可証送信手段２９によって、コンテンツ利用許可証を、通信送受信手段２１を介してコンテンツ利用許可証受信装置７に送信し（ステップＳ３９；利用許可証送信ステップ）、動作を終了する。
【０１４９】
以上の動作によって、コンテンツ利用許可証送信装置２は、コンテンツ利用許可証受信装置７から端末情報及び経路情報を受信し、この端末情報及び経路情報に基づいて、コンテンツの再生を許可する位置に、コンテンツを再生するコンテンツ再生装置９（９ａ）があるかを判定して、適正な位置にある場合にのみコンテンツ利用許可証を送信することができる。
【０１５０】
［コンテンツ利用許可証送信装置のＧＰＳ情報に基づくコンテンツ利用許可証送信動作］
次に、図７を参照（適宜図１及び図２参照）して、コンテンツ利用許可証送信装置２がＧＰＳ情報に基づいてコンテンツ利用許可証受信装置７にコンテンツ利用許可証を送信する動作（ＧＰＳ情報に基づくコンテンツ利用許可証送信動作）について説明する。図７は、本発明の第１の実施の形態におけるコンテンツ利用許可証送信装置が、ＧＰＳ情報に基づいてコンテンツ利用許可証を送信する動作を示したフローチャートである。
【０１５１】
コンテンツ利用許可証送信装置２は、アカウント検証手段２４の受信部２４ａによって、通信送受信手段２１を介して、コンテンツ利用許可証受信装置７から、当該コンテンツ利用許可証受信装置７の電子署名が施されたアカウントを受信する（ステップＳ４１）。そして、コンテンツ利用許可証送信装置２は、アカウント検証手段２４の検証部２４ｂによって、ステップＳ４１において受信したアカウントに対応する検証鍵を受信装置管理情報記憶手段２６から読み出す（ステップＳ４２）。
【０１５２】
そして、コンテンツ利用許可証送信装置２は、検証部２４ｂによって、ステップＳ４２において読み出した検証鍵に基づいて、ステップＳ４１において受信したアカウントが正当であるかを判断する（ステップＳ４３）。そして、アカウントが正当でない場合には（ステップＳ４３でＮｏ）、そのまま動作を終了する。また、アカウントが正当である場合には（ステップＳ４３でＹｅｓ）、コンテンツ利用許可証送信装置２は、暗号・電子署名処理手段２２の鍵生成部２２ｂによって公開鍵を生成し、電子署名付加部２２ａによって、この公開鍵に電子署名を施して、通信送受信手段２１を介してコンテンツ利用許可証受信装置７に送信する（ステップＳ４４）。
【０１５３】
そして、コンテンツ利用許可証送信装置２は、受信装置情報受信手段２７によって、所定の制限時間内に、コンテンツ利用許可証受信装置７からＧＰＳ情報を受信したかを判断する（ステップＳ４５）。なお、このＧＰＳ情報は暗号化されており、暗号・電子署名処理手段２２の復号部２２ｃによって復号された後に、受信装置情報受信手段２７に受信される。そして、受信しなかった場合には（ステップＳ４５でＮｏ）、そのまま動作を終了する。また、受信した場合には（ステップＳ４５でＹｅｓ）、コンテンツ利用許可証送信装置２は、許可判定手段２８の受信装置管理情報読み出し部２８ａによって、受信装置管理情報記憶手段２６に記憶された登録ＧＰＳ情報２６ｄを読み出す（ステップＳ４６）。
【０１５４】
そして、コンテンツ利用許可証送信装置２は、暗号・電子署名処理手段２２の復号部２２ｃによって、ステップＳ４５において受信した、暗号化されたＧＰＳ情報を復号して、このＧＰＳ情報と、ステップＳ４６において読み出された登録ＧＰＳ情報２６ｄとに基づいて、許可判定手段２８のＧＰＳ判定部２８ｄによって、ＧＰＳ情報が正当であるかを判定する（ステップＳ４７；許可判定ステップ）。つまり、コンテンツ利用許可証送信装置２は、許可判定手段２８のＧＰＳ判定部２８ｄによって、ステップＳ４６において読み出された登録ＧＰＳ情報２６ｄによって示される位置の所定の範囲内に、復号したＧＰＳ情報によって示される位置が含まれるかを判定する。
【０１５５】
そして、正当でないと判定された場合には（ステップＳ４７でＮｏ）、そのまま動作を終了する。また、正当であると判定された場合には（ステップＳ４７でＹｅｓ）、コンテンツ利用許可証送信装置２は、利用許可証送信手段２９によって、コンテンツ利用許可証を生成する（ステップＳ４８）。そして、コンテンツ利用許可証送信装置２は、利用許可証送信手段２９によって、コンテンツ利用許可証を、通信送受信手段２１を介してコンテンツ利用許可証受信装置７に送信し（ステップＳ４９；利用許可証送信ステップ）、動作を終了する。
【０１５６】
以上の動作によって、コンテンツ利用許可証送信装置２は、コンテンツ利用許可証受信装置７からＧＰＳ情報を受信し、コンテンツの再生を許可する位置に、コンテンツを再生するコンテンツ再生装置９（９ａ）があるかを判定して、適正な位置にある場合にのみコンテンツ利用許可証を送信することができる。
【０１５７】
また、ここでは、端末情報及び経路情報に基づいて、コンテンツの再生を許可する位置にコンテンツ再生装置９（９ａ）があるかを判定する場合と、ＧＰＳ情報に基づいて判定する場合とについて説明したが、端末情報と経路情報とＧＰＳ情報のうちのいずれか１つに基づいて判定することとしてもよいし、すべてに基づいて判定することとしてもよいし、他の組み合わせによって判定することとしてもよい。
【０１５８】
［コンテンツ利用許可証受信装置のアカウント登録動作］
次に、図８を参照（適宜図１及び図３参照）して、コンテンツ利用許可証受信装置７がコンテンツ利用許可証送信装置２にアカウントを要求して取得する動作（アカウント登録動作）について説明する。図８は、本発明の第１の実施の形態におけるコンテンツ利用許可証受信装置が、アカウントを登録する動作を示したフローチャートである。
【０１５９】
コンテンツ利用許可証受信装置７は、アカウント登録手段７４のアカウント要求送信部７４ａによって、アカウントの発行要求となる当該コンテンツ利用許可証受信装置７の電子署名の検証鍵を、通信送受信手段７１を介してコンテンツ利用許可証送信装置２に送信する（ステップＳ５１）。
【０１６０】
そして、コンテンツ利用許可証受信装置７は、アカウント受信部７４ｂによって、所定の制限時間内に、コンテンツ利用許可証送信装置２からアカウントを受信したかを判断し（ステップＳ５２）、受信しなかった場合には（ステップＳ５２でＮｏ）、そのまま動作を終了する。また、受信した場合には（ステップＳ５２でＹｅｓ）、コンテンツ利用許可証受信装置７は、アカウント登録手段７４のアカウント受信部７４ｂによって、ステップＳ５２において受信したアカウントをアカウント記憶手段７５に書き込み（ステップＳ５３）、動作を終了する。以上の動作によって、コンテンツ利用許可証受信装置７は、コンテンツ利用許可証送信装置２にアカウントの発行要求を送信して、アカウントを受信することができる。
【０１６１】
［コンテンツ利用許可証受信装置の端末情報／経路情報／ＧＰＳ情報通知動作］
次に、図９を参照（適宜図１及び図３参照）して、コンテンツ利用許可証受信装置７がコンテンツ利用許可証送信装置２に登録端末情報、登録経路情報又は登録ＧＰＳ情報を通知する動作（端末情報／経路情報／ＧＰＳ情報通知録動作）について説明する。図９は、本発明の第１の実施の形態におけるコンテンツ利用許可証受信装置が、コンテンツ利用許可証送信装置に登録端末情報、登録経路情報又は登録ＧＰＳ情報を通知する動作を示したフローチャートである。
【０１６２】
コンテンツ利用許可証受信装置７は、図示しない入力手段からユーザによって入力された、コンテンツの再生を許可する位置の登録の指令に基づいて、受信装置情報送信手段７６のアカウント送信部７６ａによって、アカウント記憶手段７５からアカウントを読み出す（ステップＳ６１）。そして、コンテンツ利用許可証受信装置７は、暗号・電子署名処理手段７３の電子署名付加部７３ａによって、ステップＳ６１において読み出したアカウントに電子署名を施して、通信送受信手段７１を介してコンテンツ利用許可証送信装置２に送信する（ステップＳ６２）。
【０１６３】
そして、コンテンツ利用許可証受信装置７は、公開鍵受信手段７７によって、所定の制限時間内に通信送受信手段７１を介して、コンテンツ利用許可証送信装置２から公開鍵を受信したかを判断し（ステップＳ６３）、受信しなかった場合には（ステップＳ６３でＮｏ）、そのまま動作を終了する。また、受信した場合において（ステップＳ６３でＹｅｓ）、登録端末情報を通知する場合は、コンテンツ利用許可証受信装置７は、端末固有情報取得手段７８によって、ローカルエリアネットワークを介して接続されたすべてのコンテンツ再生装置９の固有情報を取得するとともに、端末固有情報取得手段７８によって、受信装置固有情報記憶手段８１から当該メインレコーダＲの固有情報を読み出す。また、登録経路情報を通知する場合には、コンテンツ利用許可証受信装置７は、受信装置固有情報読み出し手段８０によって、受信装置固有情報記憶手段８１から当該メインレコーダＲの固有情報を読み出す。更に、登録ＧＰＳ情報を通知する場合には、コンテンツ利用許可証受信装置７は、地理情報受信手段７９によって、コンテンツ再生装置９から、当該コンテンツ再生装置９の位置の緯度と経度の情報を受信する（ステップＳ６４）。
【０１６４】
そして、コンテンツ利用許可証受信装置７は、登録端末情報を通知する場合は、受信装置情報送信手段７６の端末情報送信部７６ｂによって、ステップＳ６４において取得したコンテンツ再生装置９ａ、９ｂ、９ｃ、…及びメインレコーダＲの固有情報に基づいて登録端末情報を生成する。そして、コンテンツ利用許可証受信装置７は、暗号・電子署名処理手段７３の暗号化部７３ｂによって、ステップＳ６３において受信した公開鍵でこの登録端末情報を暗号化して、通信送受信手段７１を介してコンテンツ利用許可証送信装置２に送信する。
【０１６５】
また、登録経路情報を通知する場合は、受信装置情報送信手段７６の経路情報送信部７６ｃによって、ステップＳ６４において取得したメインレコーダＲの固有情報に基づいてメインレコーダＲの識別情報を生成する。そして、コンテンツ利用許可証受信装置７は、暗号化部７３ｂによって、ステップＳ６３において受信した公開鍵でこの識別情報を暗号化して、通信送受信手段７１を介してコンテンツ利用許可証送信装置２に送信する。なお、この識別情報には、コンテンツ利用許可証送信装置２に伝送される際に中継装置６ａ、６ｂ、…の電子署名の検証鍵が付加されるため、コンテンツ利用許可証受信装置７は、この識別情報をコンテンツ利用許可証送信装置２に送信することで登録経路情報を通知することができる。
【０１６６】
更に、登録ＧＰＳ情報を通知する場合は、受信装置情報送信手段７６のＧＰＳ情報送信部７６ｄによって、ステップＳ６４において取得したコンテンツ再生装置９の位置の緯度と経度の情報に基づいて登録ＧＰＳ情報を生成する。そして、コンテンツ利用許可証受信装置７は、暗号化部７３ｂによって、ステップＳ６３において受信した公開鍵でこのＧＰＳ情報を暗号化して、通信送受信手段７１を介してコンテンツ利用許可証送信装置２に送信する（ステップＳ６５）。
【０１６７】
以上の動作によって、コンテンツ利用許可証受信装置７は、コンテンツ利用許可証送信装置２に登録端末情報、登録経路情報又は登録ＧＰＳ情報を通知することができる。
【０１６８】
［コンテンツ利用許可証受信装置の端末情報及び経路情報に基づくコンテンツ利用許可証取得動作］
次に、図１０を参照（適宜図１及び図３参照）して、コンテンツ利用許可証受信装置７がコンテンツ利用許可証送信装置２に端末情報及び経路情報を通知して、コンテンツ利用許可証を取得する動作（端末情報及び経路情報に基づくコンテンツ利用許可証取得動作）について説明する。図１０は、本発明の第１の実施の形態におけるコンテンツ利用許可証受信装置が、コンテンツ利用許可証送信装置に端末情報及び経路情報を通知して、コンテンツ利用許可証を取得する動作を示したフローチャートである。
【０１６９】
コンテンツ利用許可証受信装置７は、ローカルエリアネットワーク送受信手段７２を介してコンテンツ再生装置９ａから受信したコンテンツ利用許可証の要求に基づいて、受信装置情報送信手段７６のアカウント送信部７６ａによって、アカウント記憶手段７５からアカウントを読み出す（ステップＳ７１）。そして、コンテンツ利用許可証受信装置７は、暗号・電子署名処理手段７３の電子署名付加部７３ａによって、ステップＳ７１において読み出したアカウントに電子署名を施して、通信送受信手段７１を介してコンテンツ利用許可証送信装置２に送信する（ステップＳ７２）。
【０１７０】
そして、コンテンツ利用許可証受信装置７は、公開鍵受信手段７７によって、所定の制限時間内に通信送受信手段７１を介して、コンテンツ利用許可証送信装置２から公開鍵を受信したかを判断し（ステップＳ７３）、受信しなかった場合には（ステップＳ７３でＮｏ）、そのまま動作を終了する。また、受信した場合には（ステップＳ７３でＹｅｓ）、コンテンツ利用許可証受信装置７は、端末固有情報取得手段７８によって、ローカルエリアネットワークを介して接続されたすべてのコンテンツ再生装置９の固有情報を取得するとともに、受信装置固有情報読み出し手段８０によって、受信装置固有情報記憶手段８１から当該メインレコーダＲの固有情報を読み出す（ステップＳ７４）。
【０１７１】
そして、コンテンツ利用許可証受信装置７は、受信装置情報送信手段７６の端末情報送信部７６ｂによって、ステップＳ７４において取得したコンテンツ再生装置９ａ、９ｂ、９ｃ、…及びメインレコーダＲの固有情報に基づいて端末情報を生成する。そして、コンテンツ利用許可証受信装置７は、暗号・電子署名処理手段７３の暗号化部７３ｂによって、ステップＳ７３において受信した公開鍵でこの端末情報を暗号化して、通信送受信手段７１を介してコンテンツ利用許可証送信装置２に送信する（ステップＳ７５）。なお、この端末情報には、コンテンツ利用許可証送信装置２に伝送される際に中継装置６ａ、６ｂ、…の電子署名の検証鍵が付加されるため、コンテンツ利用許可証受信装置７は、コンテンツ利用許可証送信装置２に端末情報と経路情報とを通知することができる。
【０１７２】
（利用許可証取得ステップ）
そして、コンテンツ利用許可証受信装置７は、利用許可証取得手段８２によって、所定の制限時間内に通信送受信手段７１を介して、コンテンツ利用許可証送信装置２からコンテンツ利用許可証を受信したかを判断し（ステップＳ７６）、受信しなかった場合には（ステップＳ７６でＮｏ）、そのまま動作を終了する。また、受信した場合には（ステップＳ７６でＹｅｓ）、コンテンツ利用許可証受信装置７は、利用許可証取得手段８２によって、ローカルエリアネットワーク送受信手段７２を介して、コンテンツ利用許可証を要求したコンテンツ再生装置９ａにステップＳ７６において受信したコンテンツ利用許可証を送信し（ステップＳ７７）、動作を終了する。
【０１７３】
以上の動作によって、コンテンツ利用許可証受信装置７は、コンテンツ利用許可証送信装置２に端末情報及び経路情報を通知することができる。そして、コンテンツ利用許可証受信装置７は、コンテンツ利用許可証送信装置２からコンテンツ利用許可証を受信して、コンテンツ利用許可証を要求したコンテンツ再生装置９ａに送信することができる。
【０１７４】
［コンテンツ利用許可証受信装置のＧＰＳ情報に基づくコンテンツ利用許可証取得動作］
次に、図１１を参照（適宜図１及び図３参照）して、コンテンツ利用許可証受信装置７がコンテンツ利用許可証送信装置２にＧＰＳ情報を通知して、コンテンツ利用許可証を取得する動作（ＧＰＳ情報に基づくコンテンツ利用許可証取得動作）について説明する。図１１は、本発明の第１の実施の形態におけるコンテンツ利用許可証受信装置が、コンテンツ利用許可証送信装置にＧＰＳ情報を通知して、コンテンツ利用許可証を取得する動作を示したフローチャートである。
【０１７５】
コンテンツ利用許可証受信装置７は、ローカルエリアネットワーク送受信手段７２を介してコンテンツ再生装置９ａから受信したコンテンツ利用許可証の要求に基づいて、受信装置情報送信手段７６のアカウント送信部７６ａによって、アカウント記憶手段７５からアカウントを読み出す（ステップＳ８１）。そして、コンテンツ利用許可証受信装置７は、暗号・電子署名処理手段７３の電子署名付加部７３ａによって、ステップＳ８１において読み出したアカウントに電子署名を施して、通信送受信手段７１を介してコンテンツ利用許可証送信装置２に送信する（ステップＳ８２）。
【０１７６】
そして、コンテンツ利用許可証受信装置７は、公開鍵受信手段７７によって、所定の制限時間内に通信送受信手段７１を介して、コンテンツ利用許可証送信装置２から公開鍵を受信したかを判断し（ステップＳ８３）、受信しなかった場合には（ステップＳ８３でＮｏ）、そのまま動作を終了する。また、受信した場合には（ステップＳ８３でＹｅｓ）、コンテンツ利用許可証受信装置７は、地理情報受信手段７９によって、コンテンツ再生装置９ａから、当該コンテンツ再生装置９ａの位置を示す緯度と経度の情報を取得する（ステップＳ８４）。
【０１７７】
そして、コンテンツ利用許可証受信装置７は、受信装置情報送信手段７６の端末情報送信部７６ｂによって、ステップＳ８４において取得したコンテンツ再生装置９ａの位置の緯度と経度の情報に基づいてＧＰＳ情報を生成する。そして、コンテンツ利用許可証受信装置７は、暗号・電子署名処理手段７３の暗号化部７３ｂによって、ステップＳ８３において受信した公開鍵でこのＧＰＳ情報を暗号化して、通信送受信手段７１を介してコンテンツ利用許可証送信装置２に送信する（ステップＳ８５）。
【０１７８】
（利用許可証取得ステップ）
そして、コンテンツ利用許可証受信装置７は、利用許可証取得手段８２によって、所定の制限時間内に通信送受信手段７１を介して、コンテンツ利用許可証送信装置２からコンテンツ利用許可証を受信したかを判断し（ステップＳ８６）、受信しなかった場合には（ステップＳ８６でＮｏ）、そのまま動作を終了する。また、受信した場合には（ステップＳ８６でＹｅｓ）、コンテンツ利用許可証受信装置７は、利用許可証取得手段８２によって、ローカルエリアネットワーク送受信手段７２を介して、コンテンツ利用許可証を要求したコンテンツ再生装置９ａにステップＳ８６において受信したコンテンツ利用許可証を送信し（ステップＳ８７）、動作を終了する。
【０１７９】
以上の動作によって、コンテンツ利用許可証受信装置７は、コンテンツ利用許可証送信装置２にＧＰＳ情報を通知して、コンテンツ利用許可証を受信し、コンテンツ利用許可証を要求したコンテンツ再生装置９ａに送信することができる。
【０１８０】
［著作権管理システムの構成（第２の実施の形態）］
次に、図１２を参照して、本発明の第２の実施の形態である著作権管理システムＳＡの構成について説明する。図１２は、本発明の第２の実施の形態である著作権管理システムの構成を示したブロック図である。図１２に示すように、著作権管理システムＳＡは、コンテンツ提供者側のコンテンツサーバ１と、コンテンツ利用許可証送信装置２Ａから、インターネット５を経由して、コンテンツのユーザ（購入者）側の装置であるメインレコーダＲＡにコンテンツ送信し、また、インターネット５と基地局６Ａとを経由して、当該コンテンツの再生を許可するコンテンツ利用許可証を、ユーザ側の装置である携帯端末Ｍに配信するシステムである。
【０１８１】
著作権管理システムＳＡは、著作権管理システムＳ（図１参照）のコンテンツ利用許可証送信装置２に代えてコンテンツ利用許可証送信装置２Ａを、中継装置６ａに代えて基地局６Ａを、メインレコーダＲに代えてメインレコーダＲＡを、コンテンツ再生装置９に代えて携帯端末Ｍを備える。著作権管理システムＳＡ内のコンテンツ利用許可証送信装置２Ａ、基地局６Ａ、メインレコーダＲＡ、携帯端末Ｍ以外の構成は、図１に示したものと同一であるので、同一の符号を付し、説明を省略する。
【０１８２】
コンテンツ利用許可証送信装置２Ａは、コンテンツサーバ１に保持されているコンテンツのコンテンツ利用許可証を管理するものである。つまり、コンテンツ利用許可証送信装置２Ａは、後記する携帯端末Ｍからのコンテンツ利用許可証の要求に応じて、後記するコンテンツ利用許可証受信手段７Ａ（図１５参照）によって登録された、コンテンツの再生を許可する位置の情報と、携帯端末Ｍの位置の情報とに基づいて判定を行い、コンテンツ利用許可証を発行するものである。
【０１８３】
基地局６Ａは、所定の範囲のエリアにある携帯端末Ｍと電波を介して通信データの送受信を行うとともに、この通信データを他のネットワークに中継するものである。
【０１８４】
メインレコーダＲＡは、コンテンツ記憶装置Ｃと、利用位置登録装置１０Ａとを備え、ユーザが所望するコンテンツをコンテンツサーバ１から取得したコンテンツ記憶装置Ｃに記憶し、更に、携帯端末Ｍに対してコンテンツの再生を許可する位置を、コンテンツ利用許可証送信装置２Ａに登録するものである。なお、コンテンツ記憶装置Ｃは、図１に示したものと同一であるので説明を省略する。
【０１８５】
利用位置登録装置１０Ａは、携帯端末Ｍに対してコンテンツの再生を許可する位置を、コンテンツ利用許可証送信装置２Ａに登録するものである。
【０１８６】
携帯端末Ｍは、コンテンツ記憶装置Ｃに記憶されたコンテンツをコピーし、コンテンツ利用許可証送信装置２Ａから当該コンテンツの利用許可証を取得して、当該コンテンツを再生するものである。このコンテンツ再生装置は、例えば、携帯電話などである。なお、この携帯端末Ｍは、利用位置登録装置１０Ａによってコンテンツの再生を許可する位置を登録する際と、コンテンツ記憶装置Ｃに記憶されたコンテンツをコピーする際にはローカルエリアネットワークで接続され、その後、利用位置登録装置１０Ａとの接続が切断されて、コンテンツ利用許可証送信装置２Ａからコンテンツ利用許可証を取得してコンテンツを再生する。
【０１８７】
以下、著作権管理システムＳＡにおいて、コンテンツ利用許可証送信装置２Ａと、利用位置登録装置１０Ａと、携帯端末Ｍとについて詳細に説明する。
【０１８８】
（コンテンツ利用許可証送信装置の構成）
まず、図１３を参照（適宜図１２参照）して、コンテンツ利用許可証送信装置２Ａの構成について説明する。図１３は、本発明の第２の実施の形態におけるコンテンツ利用許可証送信装置の構成を示したブロック図である。なお、コンテンツ利用許可証送信装置２Ａは、コンテンツ利用許可証送信装置２（図２参照）の暗号・電子署名処理手段２２に代えて暗号・電子署名処理手段２２Ａを、受信装置管理情報登録手段２５に代えて受信装置管理情報登録手段２５Ａを、受信装置管理情報記憶手段２６に代えて受信装置管理情報記憶手段２６Ａを、受信装置情報受信手段２７に代えて受信装置情報受信手段２７Ａを、許可判定手段２８に代えて許可判定手段２８Ａを、利用許可証送信手段２９に代えて利用許可証送信手段２９Ａを備える。コンテンツ利用許可証送信装置２Ａの暗号・電子署名処理手段２２Ａ、受信装置管理情報登録手段２５Ａ、受信装置管理情報記憶手段２６Ａ、受信装置情報受信手段２７Ａ、許可判定手段２８Ａ及び利用許可証送信手段２９Ａ以外の構成は、図２に示したものと同一であるので、同一の符号を付し、説明を省略する。
【０１８９】
暗号・電子署名処理手段２２Ａは、通信データに電子署名を施して付加し、また、秘密鍵を生成するとともに、この秘密鍵で暗号化された通信データを秘密鍵によって復号するものである。ここでは、暗号・電子署名処理手段２２Ａは、電子署名付加部２２Ａａと、鍵生成部２２Ａｂと、復号部２２Ａｃとを備える。
【０１９０】
電子署名付加部２２Ａａは、通信データに当該コンテンツ利用許可証送信装置２の電子署名を施して付加するものである。ここで電子署名が施された通信データは通信送受信手段２１を介して利用位置登録装置１０Ａに送信される。ここでは、電子署名付加部２２ａは、アカウント発行手段２３から入力されたアカウントと、後記する鍵生成部２２Ａｂによって生成されたＤｉｆｆｉｅ−Ｈｅｌｌｍａｎ鍵共有用の数値の情報とに電子署名を施して付加し、通信送受信手段２１を介して利用位置登録装置１０Ａに送信する。なお、電子署名付加部２２Ａａは、コンテンツ利用許可証送信装置２の電子署名付加部２２ａ（図２参照）に比べて、入力される通信データを公開鍵に代えてＤｉｆｆｉｅ−Ｈｅｌｌｍａｎ鍵共有用の数値の情報としただけで、機能は同じものである。
【０１９１】
鍵生成部２２Ａｂは、アカウント検証手段２４の検証部２４ｂからの指令に基づいて、Ｄｉｆｆｉｅ−Ｈｅｌｌｍａｎ鍵共有用の数値を生成して、利用位置登録装置１０Ａと交換するものである。ここで生成されたＤｉｆｆｉｅ−Ｈｅｌｌｍａｎ鍵共有用の数値は電子署名付加部２２Ａａに出力され、通信送受信手段２１を介して利用位置登録装置１０Ａに送信される。また、秘密鍵を生成するために必要な情報である秘密鍵情報は、アカウント検証手段２４によって検証されたアカウントに対応させて受信装置管理情報記憶手段２６Ａに書き込まれる。
【０１９２】
復号部２２Ａｃは、利用位置登録装置１０Ａから秘密鍵で暗号化された通信データを、通信送受信手段２１を介して受信し、この通信データを受信装置管理情報記憶手段２６Ａから読み出した秘密鍵情報２６Ａｅに基づいて生成した秘密鍵によって復号するものである。ここでは、復号部２２Ａｃは、利用位置登録装置１０Ａから、暗号化された登録ＧＰＳ情報を、通信送受信手段２１を介して受信して復号し、携帯端末Ｍから、暗号化されたＧＰＳ情報を、通信送受信手段２１を介して受信して復号する。ここで復号された登録ＧＰＳ情報は受信装置管理情報登録手段２５Ａに、ＧＰＳ情報は受信装置情報受信手段２７Ａに出力される。
【０１９３】
受信装置管理情報登録手段２５Ａは、復号部２２Ａｃから入力される登録ＧＰＳ情報を、アカウント検証手段２４によって検証されたアカウントに対応させて受信装置管理情報記憶手段２６Ａに書き込むものである。なお、受信装置管理情報登録手段２５Ａは、コンテンツ利用許可証送信装置２の受信装置管理情報登録手段２５（図２参照）に比べて入力される通信データを登録端末情報、登録経路情報及び登録ＧＰＳ情報から登録ＧＰＳ情報としただけで、機能は同じものである。
【０１９４】
受信装置管理情報記憶手段２６Ａは、アカウント情報２６ａに登録ＧＰＳ情報２６ｄと、秘密鍵情報２６Ａｅとを対応させた受信装置管理情報を記憶するもので、半導体メモリ、ハードディスク等の一般的な記憶手段である。アカウント情報２６ａは、アカウント発行手段２３によって書き込まれ、アカウントと、このアカウントに対応するメインレコーダＲＡの利用位置登録装置１０Ａの検証鍵とを対応させたものである。また、登録ＧＰＳ情報２６ｄは、受信装置管理情報登録手段２５Ａによって書き込まれる。更に、秘密鍵情報２６Ａｅは、鍵生成部２２Ａｂによって書き込まれる。なお、アカウント情報２６ａ及び登録ＧＰＳ情報２６ｄは、コンテンツ利用許可証送信装置２の受信装置管理情報記憶手段２６（図２参照）に記憶されたアカウント情報２６ａ及び登録ＧＰＳ情報２６ｄと実質的に同じものである。
【０１９５】
このアカウント情報２６ａと登録ＧＰＳ情報２６ｄは、後記する許可判定手段２８Ａによって、携帯端末Ｍに対してコンテンツの再生を許可するか否かを判定する際に参照される。秘密鍵情報２６Ａｅは復号部２２Ａｃによって通信データを復号する際に参照され、また、後記する利用許可証送信手段２９Ａによって、携帯端末Ｍにコンテンツ利用許可証を送信する際に読み出される。
【０１９６】
なお、秘密鍵情報２６Ａｅは、秘密鍵を生成するために必要な情報であり、鍵生成部２２Ａｂによって生成された、Ｄｉｆｆｉｅ−Ｈｅｌｌｍａｎ鍵交換で使用する素数ｐ、生成元ｇ、当該コンテンツ利用許可証送信装置２Ａの秘密情報ｔ’及び後記する利用位置登録装置１０Ａの鍵生成部１０３Ａｃ（図１４参照）によって生成された秘密鍵生成情報ｇf(IDx)  ｍｏｄ  ｐを含む情報である。なお、ＩＤｘは、携帯端末Ｍの固有情報、ｆ（ｘ）は、利用位置登録装置１０Ａと携帯端末Ｍの内部変換関数である。
【０１９７】
受信装置情報受信手段２７Ａは、アカウント検証手段２４によって検証されたアカウントに対応し、復号部２２Ａｃから入力されるＧＰＳ情報を受信するものである。ここで受信されたＧＰＳ情報は、許可判定手段２８ＡのＧＰＳ判定部２８Ａｄに出力される。なお、受信装置情報受信手段２７Ａは、コンテンツ利用許可証送信装置２の受信装置情報受信手段２７（図２参照）に比べて入力される通信データを端末情報、経路情報及びＧＰＳ情報からＧＰＳ情報としただけで、機能は同じものである。
【０１９８】
許可判定手段２８Ａは、受信装置情報受信手段２７Ａで受信されたＧＰＳ情報に基づいて、登録ＧＰＳ情報によって示される位置にコンテンツ利用許可証を要求した携帯端末Ｍがあるかを判定するものである。ここでは、許可判定手段２８Ａは、受信装置管理情報読み出し部２８Ａａと、ＧＰＳ判定部２８Ａｄとを備える。
【０１９９】
受信装置管理情報読み出し部２８Ａａは、アカウント検証手段２４の検証部２４ｂから入力されたアカウントに対応する登録ＧＰＳ情報２６Ａｄを、受信装置管理情報記憶手段２６Ａから読み出すものである。ここで読み出された登録ＧＰＳ情報２６Ａｄは、ＧＰＳ判定部２８Ａｄに出力される。なお、受信装置管理情報読み出し部２８Ａａは、コンテンツ利用許可証送信装置２の受信装置管理情報読み出し部２８ａ（図２参照）に比べて入力される通信データを登録端末情報、登録経路情報及び登録ＧＰＳ情報から登録ＧＰＳ情報としただけで、機能は同じものである。
【０２００】
ＧＰＳ判定部２８Ａｄは、受信装置管理情報読み出し部２８Ａａによって読み出された登録ＧＰＳ情報２６Ａｄによって示される位置の所定の範囲内に、受信装置情報受信手段２７Ａから入力されたＧＰＳ情報によって示される位置が含まれるかを判定するものである。ここで判定された判定結果は利用許可証送信手段２９Ａに出力される。なお、ＧＰＳ判定部２８Ａｄは、コンテンツ利用許可証送信装置２のＧＰＳ判定部２８ｄ（図２参照）に比べて入力される通信データを端末情報、経路情報及びＧＰＳ情報からＧＰＳ情報としただけで、機能は同じものである。
【０２０１】
利用許可証送信手段２９Ａは、許可判定手段２８ＡのＧＰＳ判定部２８Ａｄによって判定された判定結果に基づいて、コンテンツ利用許可証を生成して、携帯端末Ｍに送信するものである。
【０２０２】
なお、ここでは、利用許可証送信手段２９Ａは、受信装置管理情報記憶手段２６Ａから秘密鍵情報２６Ａｅに含まれる秘密鍵生成情報ｇf(IDx)  ｍｏｄ  ｐを読み出し、この秘密鍵生成情報ｇf(IDx)  ｍｏｄ  ｐに、当該コンテンツ利用許可証送信装置２Ａの電子署名を施して、この電子署名ＳＩＧｓｐ（ｇf(IDx)  ｍｏｄ  ｐ）をコンテンツ利用許可証とすることとした。
【０２０３】
また、コンテンツ利用許可証送信装置２Ａは、コンピュータにおいて各手段を各機能プログラムとして実現することも可能であり、また、各機能プログラムを結合して、コンテンツ利用許可証送信プログラムとして動作させることも可能である。
【０２０４】
（利用位置登録装置の構成）
次に、図１４を参照（適宜図１２参照）して、利用位置登録装置１０Ａの構成について説明する。図１４は、本発明の第２の実施の形態における利用位置登録装置の構成を示したブロック図である。利用位置登録装置１０Ａは、通信送受信手段１０１Ａと、ローカルエリアネットワーク送受信手段１０２Ａと、暗号・電子署名処理手段１０３Ａと、アカウント登録手段１０４Ａと、アカウント記憶手段１０５Ａと、受信装置情報送信手段１０６Ａと、地理情報受信手段１０９Ａと、アカウント送信手段１１１Ａと、固有情報受信手段１１２Ａと、秘密鍵送信手段１１３Ａとを備える。
【０２０５】
通信送受信手段１０１Ａは、ネットワーク（インターネット５等）を介して、通信データの送受信を行うものである。また、ローカルエリアネットワーク送受信手段１０２Ａは、ローカルエリアネットワークを介して、通信データの送受信を行うものである。なお、この通信送受信手段１０１Ａ及びローカルエリアネットワーク送受信手段１０２Ａは、コンテンツ利用許可証受信装置７の通信送受信手段７１及びローカルエリアネットワーク送受信手段７２（図３参照）と機能は同じものである。
【０２０６】
暗号・電子署名処理手段１０３Ａは、通信データに電子署名を施し、また、秘密鍵を生成して通信データを暗号化するものである。ここでは、暗号・電子署名処理手段１０３Ａは、電子署名付加部１０３Ａａと、暗号化部１０３Ａｂと、鍵生成部１０３Ａｃとを備える。なお、この電子署名付加部１０３Ａａは、コンテンツ利用許可証受信装置７の電子署名付加部７３ａ（図３参照）と同一であるので、説明を省略する。
【０２０７】
暗号化部１０３Ａｂは、後記する鍵生成部１０３Ａｃによって生成された秘密鍵で通信データを暗号化するものである。ここでは、暗号化部１０３Ａｂは、後記する受信装置情報送信手段１０６Ａから入力された登録ＧＰＳ情報を暗号化して、通信送受信手段１０１Ａを介してコンテンツ利用許可証送信装置２Ａに送信する。
【０２０８】
鍵生成部１０３Ａｃは、Ｄｉｆｆｉｅ−Ｈｅｌｌｍａｎ鍵共有用の数値を生成して、コンテンツ利用許可証送信装置２Ａと交換するものである。なお、ここでは、鍵生成部１０３Ａｃは、コンテンツ利用許可証送信装置２Ａから入力された、Ｄｉｆｆｉｅ−Ｈｅｌｌｍａｎ鍵交換で使用する素数ｐと、生成元ｇと、固有情報受信手段１１２Ａから入力された携帯端末Ｍの固有情報ＩＤｘとに基づいて、秘密鍵生成情報ｇf(IDx)  ｍｏｄ  ｐを生成し、電子署名を付加してコンテンツ利用許可証送信装置２Ａに送信する。また、コンテンツ利用許可証送信装置２Ａから秘密鍵生成情報ｇt'  ｍｏｄ  ｐを受信し、秘密鍵を生成する。ここで生成された秘密鍵は、暗号化部１０３Ａｂと、秘密鍵送信手段１１３Ａとに出力される。
【０２０９】
アカウント登録手段１０４Ａは、コンテンツ利用許可証送信装置２Ａにアカウントの登録を行うものである。アカウント登録手段１０４Ａは、アカウント要求送信部１０４Ａａと、アカウント受信部１０４Ａｂとを備える。なお、このアカウント登録手段１０４Ａは、コンテンツ利用許可証受信装置７のアカウント登録手段７４（図３参照）と同一であるので、説明を省略する。
【０２１０】
アカウント記憶手段１０５Ａは、コンテンツ利用許可証送信装置２Ａで発行されたアカウントを記憶するもので、半導体メモリ、ハードディスク等の一般的な記憶手段である。このアカウント記憶手段１０５Ａに記憶されたアカウントは、受信装置情報送信手段１０６Ａのアカウント送信部１０６ａと、アカウント送信手段１１１Ａとによって読み出される。
【０２１１】
受信装置情報送信手段１０６Ａは、当該メインレコーダＲＡを示すアカウントと、登録ＧＰＳ情報を、コンテンツ利用許可証送信装置２Ａに送信するものである。ここで、受信装置情報送信手段１０６Ａは、アカウント送信部１０６Ａａと、ＧＰＳ情報送信部１０６Ａｄとを備える。
【０２１２】
アカウント送信部１０６Ａａは、図示しない入力手段からユーザによって入力された、携帯端末Ｍに対してコンテンツの再生を許可する位置の登録の指令に基づいて、アカウント記憶手段１０５Ａからアカウントを読み出し、コンテンツ利用許可証送信装置２Ａに送信するものである。
【０２１３】
ＧＰＳ情報送信部１０６Ａｄは、後記する地理情報受信手段１０９Ａから入力された、携帯端末Ｍの位置を示す緯度と経度の情報を、登録ＧＰＳ情報としてコンテンツ利用許可証送信装置２Ａに送信するものである。
【０２１４】
地理情報受信手段１０９Ａは、ローカルエリアネットワークを介して接続された携帯端末Ｍの位置の緯度と経度の情報を受信するものである。ここで受信された緯度と経度の情報は、ＧＰＳ情報送信部１０６Ａｄに出力される。
【０２１５】
アカウント送信手段１１１Ａは、携帯端末Ｍからのアカウントの要求に基づいて、アカウント記憶手段１０５Ａからアカウントを読み出して、携帯端末Ｍに送信するものである。また、固有情報受信手段１１２Ａは、携帯端末Ｍに当該携帯端末Ｍの固有情報の要求を送信して、携帯端末Ｍから固有情報を受信するものである。ここで受信された固有情報は、暗号・電子署名処理手段１０３Ａの鍵生成部１０３Ａｃに入力される。
【０２１６】
秘密鍵送信手段１１３Ａは、暗号・電子署名処理手段１０３Ａの鍵生成部１０３Ａｃによって生成された秘密鍵を、携帯端末Ｍに送信するものである。
【０２１７】
以上のように利用位置登録装置１０Ａを構成することで、利用位置登録装置１０Ａは、コンテンツ利用許可証送信装置２Ａにアカウントの登録を行い、このアカウントを携帯端末Ｍに送信するとともに、携帯端末Ｍから受信した当該携帯端末Ｍの位置の緯度と経度の情報を登録ＧＰＳ情報としてコンテンツ利用許可証送信装置２Ａに送信することができる。更に、利用位置登録装置１０Ａは、コンテンツ利用許可証送信装置２Ａと共有する秘密鍵を生成し、携帯端末Ｍに送信することができる。
【０２１８】
（携帯端末Ｍの構成）
続いて、図１５を参照（適宜図１２参照）して、携帯端末Ｍの構成について説明する。図１５は、本発明の第２の実施の形態における携帯端末の構成を示したブロック図である。携帯端末Ｍは、通信送受信手段１１Ａと、ローカルエリアネットワーク送受信手段１２Ａと、コンテンツ利用許可証受信手段７Ａと、コンテンツ再生手段９Ａとを備える。
【０２１９】
通信送受信手段１１Ａは、ネットワーク（インターネット５等）を介して、通信データの送受信を行うものである。例えば、通信送受信手段１１Ａは、ＴＣＰ／ＩＰの通信プロトコルによって通信データの送受信を行うものである。
【０２２０】
ローカルエリアネットワーク送受信手段１２Ａは、ローカルエリアネットワークを介して、通信データの送受信を行うものである。例えば、ローカルエリアネットワーク送受信手段１２Ａは、ＴＣＰ／ＩＰの通信プロトコルによって通信データの送受信を行うものである。
【０２２１】
コンテンツ利用許可証受信手段（コンテンツ利用許可証受信装置）７Ａは、当該携帯端末Ｍの位置を示すＧＰＳ情報をコンテンツ利用許可証送信装置２Ａに送信してコンテンツ利用許可証を受信するものである。ここで受信されたコンテンツ利用許可証は、コンテンツ再生手段９Ａに出力される。なお、コンテンツ利用許可証受信手段７Ａは、暗号・電子署名処理手段７３Ａと、アカウント記憶手段７５Ａと、受信装置情報送信手段７６Ａと、固有情報記憶手段８１Ａと、利用許可証取得手段８２Ａと、アカウント受信手段８３Ａと、固有情報送信手段８４Ａと、秘密鍵受信手段８５Ａと、秘密鍵記憶手段８６Ａとを備える。
【０２２２】
暗号・電子署名処理手段７３Ａは、通信データに電子署名を施し、また、秘密鍵で通信データを暗号化するものである。ここでは、暗号・電子署名処理手段７３は、電子署名付加部７３Ａａと、暗号化部７３ｂとを備える。
【０２２３】
電子署名付加部７３Ａａは、通信データに当該コンテンツ利用許可証受信装置７の電子署名を施し、付加するものである。ここで電子署名が施された通信データは、後記する暗号化部７３Ａｂによって暗号化されたＧＰＳ情報とともに、通信送受信手段１１Ａを介してコンテンツ利用許可証送信装置２Ａに送信される。ここでは、電子署名付加部７３Ａａは、後記する受信装置情報送信手段７６Ａのアカウント送信部７６Ａａから入力されたアカウントに電子署名を施して付加する。
【０２２４】
暗号化部７３Ａｂは、後記する秘密鍵記憶手段８６Ａに記憶された秘密鍵で通信データを暗号化するものである。ここでは、暗号化部７３Ａｂは、後記する受信装置情報送信手段７６Ａから入力されたＧＰＳ情報を暗号化して、受信装置情報送信手段７６Ａによって送信されたアカウントとともに、通信送受信手段１１Ａを介してコンテンツ利用許可証送信装置２に送信する。
【０２２５】
アカウント記憶手段７５Ａは、利用位置登録装置１０Ａによって登録されたアカウントを記憶するもので、半導体メモリ、ハードディスク等の一般的な記憶手段である。このアカウント記憶手段７５Ａに記憶されたアカウントは、受信装置情報送信手段７６Ａのアカウント送信部７６Ａａによって読み出される。このアカウントは、後記するアカウント受信手段８３Ａによって書き込まれる。
【０２２６】
受信装置情報送信手段（受信装置情報取得送信手段）７６Ａは、利用位置登録装置１０Ａによって登録されたアカウントと、ＧＰＳ情報とを、コンテンツ利用許可証送信装置２Ａに送信するものである。ここで、受信装置情報送信手段７６Ａは、アカウント送信部７６Ａａと、ＧＰＳ情報送信部７６Ａｄとを備える。
【０２２７】
アカウント送信部７６Ａａは、後記するコンテンツ再生手段９Ａのコンテンツ操作手段９２Ａから受信した、コンテンツ利用許可証の要求に基づいて、アカウント記憶手段７５Ａからアカウントを読み出し、コンテンツ利用許可証送信装置２Ａに送信するものである。ここでは、アカウント送信部７６Ａａは、コンテンツ利用許可証送信装置２Ａの電子署名が施されたアカウントをアカウント記憶手段７５Ａから読み出して、電子署名付加部７３Ａａに出力し、電子署名を付加して、暗号化部７３Ａｂによって暗号化されたＧＰＳ情報とともに通信送受信手段７１を介してコンテンツ利用許可証送信装置２Ａに送信する。
【０２２８】
ＧＰＳ情報送信部７６Ａｄは、後記する携帯端末ＭのＧＰＳ処理手段９１Ａから入力された、当該携帯端末Ｍの位置を示す緯度と経度の情報を、ＧＰＳ情報としてコンテンツ利用許可証送信装置２Ａに送信するものである。このＧＰＳ情報は暗号化部７３Ａｂに出力され、暗号化されて通信送受信手段１１Ａを介して、アカウント送信部７６Ａａから送信されたアカウントとともにコンテンツ利用許可証送信装置２Ａに送信される。
【０２２９】
固有情報記憶手段８１Ａは、当該携帯端末Ｍの固有情報を予め記憶するもので、半導体メモリ、ハードディスク等の一般的な記憶手段である。この固有情報記憶手段８１Ａに記憶された固有情報は、後記する固有情報送信手段８４Ａと、コンテンツ再生手段９Ａのコンテンツ操作手段９２Ａとによって読み出される。
【０２３０】
利用許可証取得手段８２Ａは、コンテンツ利用許可証送信装置２Ａから、通信送受信手段１１Ａを介してコンテンツ利用許可証を受信する。ここで受信されたコンテンツ利用許可証は、コンテンツ利用許可証を要求したコンテンツ再生手段９Ａのコンテンツ操作手段９２Ａに出力される。
【０２３１】
アカウント受信手段８３Ａは、ローカルエリアネットワーク送受信手段１２Ａを介して、利用位置登録装置１０Ａによって登録されたアカウントを受信するものである。ここで、アカウント受信手段８３Ａは、アカウント要求の信号を利用位置登録装置１０Ａに送信し、利用位置登録装置１０Ａからアカウントを受信する。
【０２３２】
固有情報送信手段８４Ａは、固有情報記憶手段８１Ａに記憶された当該携帯端末Ｍの固有情報を、ローカルエリアネットワーク送受信手段１２Ａを介して、利用位置登録装置１０Ａに送信するものである。ここで、固有情報送信手段８４Ａは、固有情報要求を利用位置登録装置１０Ａから受信し、利用位置登録装置１０Ａに固有情報を送信する。
【０２３３】
秘密鍵受信手段８５Ａは、ローカルエリアネットワーク送受信手段１２Ａを介して、利用位置登録装置１０Ａによって生成された秘密鍵を受信するものである。ここで受信した秘密鍵は、秘密鍵記憶手段８６Ａに記憶される。
【０２３４】
秘密鍵記憶手段８６Ａは、利用位置登録装置１０Ａによって生成された秘密鍵を記憶するもので、半導体メモリ、ハードディスク等の一般的な記憶手段である。この秘密鍵記憶手段８６Ａに記憶された秘密鍵は、暗号・電子署名処理手段７３Ａの暗号化部７３Ａｂによって読み出される。
【０２３５】
これによって、コンテンツ利用許可証受信手段７Ａは、利用位置登録装置１０Ａに固有情報を送信し、利用位置登録装置１０Ａからアカウントと、秘密鍵を受信して、コンテンツ再生手段９Ａから入力された当該携帯端末Ｍの位置を示す緯度と経度の情報を秘密鍵で暗号化して、アカウントとともにコンテンツ利用許可証送信装置２Ａに送信することができる。そして、コンテンツの再生を許可する位置としてコンテンツ利用許可証送信装置２Ａにすでに登録されている位置に、当該携帯端末Ｍがある場合には、コンテンツ利用許可証送信装置２Ａからコンテンツ利用許可証を受信して、コンテンツ再生手段９Ａに出力することができる。そのため、ユーザは予め登録された位置でのみ携帯端末Ｍによって当該コンテンツを再生することができ、ユーザがコンテンツを他の場所で不正に利用することを防止できる。
【０２３６】
コンテンツ再生手段（コンテンツ再生装置）９Ａは、図示しない入力手段から入力されるユーザからのコンテンツの再生の指令に基づいて、コンテンツを再生し、外部に接続された表示装置Ｄに出力するものである。また、コンテンツ再生手段９Ａは、図示しない入力手段から、あるいは、利用位置登録装置１０Ａの地理情報受信手段１０９Ａ（図１４参照）から当該携帯端末Ｍの緯度と経度の情報の要求が入力されると、通信送受信手段１１Ａを介して図示しないＧＰＳ衛星から通信データを受信し、緯度と経度とを算出するものでもある。ここでは、コンテンツ再生手段９Ａは、ＧＰＳ処理手段９１Ａと、コンテンツ操作手段９２Ａと、コンテンツ記憶手段９３Ａとを備える。
【０２３７】
ＧＰＳ処理手段９１Ａは、緯度と経度の情報の要求に基づいて、通信送受信手段１１Ａを介して図示しないＧＰＳ衛星から通信データを受信し、当該携帯端末Ｍの位置を示す緯度と経度とを算出するものである。ここで算出された緯度と経度の情報は、コンテンツ利用許可証受信手段７Ａの受信装置情報送信手段７６ＡのＧＰＳ情報送信部７６Ａｄ、あるいは、利用位置登録装置１０Ａの地理情報受信手段１０９Ａに出力される。
【０２３８】
コンテンツ操作手段９２Ａは、図示しない入力手段から入力されるユーザからのコンテンツの再生の指令に基づいて、コンテンツ利用許可証受信手段７Ａにコンテンツ利用許可証を要求し、コンテンツ利用許可証受信手段７Ａから入力されたコンテンツ利用許可証を検証して、当該コンテンツ利用許可証が正当である場合に、コンテンツ記憶手段９３Ａに記憶されたコンテンツを再生するものである。
【０２３９】
ここで、利用許可証取得手段８２Ａからコンテンツ利用許可証としてＳＩＧｓｐ（ｇf(IDx)  ｍｏｄ  ｐ）が入力された場合には、コンテンツ操作手段９２Ａは、コンテンツ利用許可証送信装置２Ａの電子署名の検証鍵でコンテンツ利用許可証を解凍して得られたｇf(IDx)  ｍｏｄ  ｐと、固有情報記憶手段８１Ａから読み出された固有情報ＩＤｘに基づいて算出されたｇf(IDx)  ｍｏｄ  ｐとが一致するかを確認する。なお、ここで、携帯端末Ｍは、予めコンテンツ利用許可証送信装置２Ａの電子署名の検証鍵を図示しない記憶手段に記憶していることとする。そして、携帯端末Ｍは、一致する場合にのみ、コンテンツの再生あるいは再生の継続を行えるようにすることで、正当なコンテンツ利用許可証が入力された場合にのみコンテンツの再生が許可される。
【０２４０】
コンテンツ記憶手段９３Ａは、コンテンツ記憶装置Ｃに記憶されたコンテンツのコピーを記憶するもので、半導体メモリ、ハードディスク等の一般的な記憶装置からなる。このコンテンツ記憶手段９３Ａに記憶されたコンテンツは、コンテンツ操作手段９２Ａによって読み出され、再生される。
【０２４１】
なお、携帯端末Ｍは、コンピュータにおいて各手段を各機能プログラムとして実現することも可能であり、例えば、コンテンツ利用許可証受信手段７Ａを、コンテンツ利用許可証受信プログラムとして動作させることも可能である。
【０２４２】
また、ここでは、携帯端末Ｍがコンテンツ利用許可証送信装置２ＡにＧＰＳ情報を送信し、コンテンツ利用許可証送信装置２Ａが、このＧＰＳ情報に基づいて、当該携帯端末Ｍがコンテンツの再生を許可する位置にあるかを判定することとしたが、例えば、携帯端末Ｍがコンテンツ利用許可証送信装置２Ａにアカウントを送信し、コンテンツ利用許可証送信装置２Ａがこのアカウントを受信するとともに、このアカウントがどの基地局（中継装置）６Ａ（図１２参照）を経由して当該コンテンツ利用許可証送信装置２Ａに受信されたかを特定し、基地局６Ａを識別する識別情報に基づいて、この基地局６Ａによって通信データが中継されるエリアに位置する当該携帯端末Ｍが、コンテンツの再生を許可する位置にあるかを判定することとしてもよい。
【０２４３】
更に、基地局（中継装置）６Ａが、当該基地局６Ａを中心に、所定の範囲のそれぞれ異なる方向（方位）からの電波を受信する複数のアンテナを有する場合に、携帯端末Ｍから送信された電波がどのアンテナによって受信されたかが分かれば、この携帯端末Ｍがこの基地局６Ａによって通信データが中継されるエリアのうち、どの方向の所定の範囲内にあるかを特定することができる。そのため、コンテンツ利用許可証送信装置２Ａが、基地局６Ａの識別情報とともに、基地局６Ａにおいて携帯端末Ｍから電波を受信したアンテナを識別する識別情報（中継装置に対する到達方向を示す情報）更に受信することで、この基地局６Ａによって通信データが中継されるエリアのうち、基地局６Ａを中心に、このアンテナが受信できる所定の範囲の方向に携帯端末Ｍが位置すると判断して、当該携帯端末Ｍがコンテンツの再生を許可する位置にあるかを判定することとしてもよい。
【図面の簡単な説明】
【０２４４】
【図１】本発明の第１の実施の形態の著作権管理システムの構成を示したブロック図である。
【図２】本発明の第１の実施の形態におけるコンテンツ利用許可証送信装置の構成を示したブロック図である。
【図３】本発明の第１の実施の形態におけるコンテンツ利用許可証受信装置の構成を示したブロック図である。
【図４】本発明の第１の実施の形態におけるコンテンツ利用許可証送信装置が、コンテンツ利用許可証受信装置にアカウントを発行する動作を示したフローチャートである。
【図５】本発明の第１の実施の形態におけるコンテンツ利用許可証送信装置が、登録端末情報、登録経路情報又は登録ＧＰＳ情報を受信装置管理情報登録手段に書き込む動作を示したフローチャートである。
【図６】本発明の第１の実施の形態におけるコンテンツ利用許可証送信装置が、端末情報及び経路情報に基づいてコンテンツ利用許可証を送信する動作を示したフローチャートである。
【図７】本発明の第１の実施の形態におけるコンテンツ利用許可証送信装置が、ＧＰＳ情報に基づいてコンテンツ利用許可証を送信する動作を示したフローチャートである。
【図８】本発明の第１の実施の形態におけるコンテンツ利用許可証受信装置が、アカウントを登録する動作を示したフローチャートである。
【図９】本発明の第１の実施の形態におけるコンテンツ利用許可証受信装置が、コンテンツ利用許可証送信装置に登録端末情報、登録経路情報又は登録ＧＰＳ情報を通知する動作を示したフローチャートである。
【図１０】本発明の第１の実施の形態におけるコンテンツ利用許可証受信装置が、コンテンツ利用許可証送信装置に端末情報及び経路情報を通知して、コンテンツ利用許可証を取得する動作を示したフローチャートである。
【図１１】本発明の第１の実施の形態におけるコンテンツ利用許可証受信装置が、コンテンツ利用許可証送信装置にＧＰＳ情報を通知して、コンテンツ利用許可証を取得する動作を示したフローチャートである。
【図１２】本発明の第２の実施の形態の著作権管理システムの構成を示したブロック図である。
【図１３】本発明の第２の実施の形態におけるコンテンツ利用許可証送信装置の構成を示したブロック図である。
【図１４】本発明の第２の実施の形態における利用位置登録装置の構成を示したブロック図である。
【図１５】本発明の第２の実施の形態における携帯端末の構成を示したブロック図である。
【符号の説明】
【０２４５】
２、２Ａ  コンテンツ利用許可証送信装置
２７、２７Ａ  受信装置情報受信手段
２８、２８Ａ  許可判定手段
２６、２６Ａ  受信装置管理情報記憶手段
２９、２９Ａ  利用許可証送信手段
６      中継装置
６Ａ    基地局（中継装置）
７      コンテンツ利用許可証受信装置
７Ａ    コンテンツ利用許可証受信手段（コンテンツ利用許可証受信装置）
７６ａ  アカウント送信部
７６ｂ  端末情報送信部
７６ｄ  ＧＰＳ情報送信部
７６Ａ  受信装置情報送信手段（受信装置情報取得送信手段）
７８    端末固有情報取得手段
７９    地理情報受信手段
９      コンテンツ再生装置
９Ａ    コンテンツ再生手段（コンテンツ再生装置）
【図１】
2006209161.tif 000003
【図２】
2006209161.tif 000004
【図３】
2006209161.tif 000005
【図４】
2006209161.tif 000006
【図５】
2006209161.tif 000007
【図６】
2006209161.tif 000008
【図７】
2006209161.tif 000009
【図８】
2006209161.tif 000010
【図９】
2006209161.tif 000011
【図１０】
2006209161.tif 000012
【図１１】
2006209161.tif 000013
【図１２】
2006209161.tif 000014
【図１３】
2006209161.tif 000015
【図１４】
2006209161.tif 000016
【図１５】
2006209161.tif 000017